(57)【要約】【課題】冷凍サイクルを行う冷媒回路に対して冷媒漏れの有無を診断するための漏洩診断装置において、冷媒回路の回路構成機器における冷媒のエクセルギーの損失量を用いた冷媒漏れの診断を実現する。【解決手段】漏洩診断装置（50）において、エクセルギー算出部（52）が、回路構成機器における冷媒のエクセルギーの損失量に基づいて、冷媒回路（20）から漏れた冷媒量に応じて変化する漏洩指標値を算出する。そして、漏洩判定部（53）が、エクセルギー算出部（52）が算出した漏洩指標値に基づいて、冷媒回路（20）において冷媒漏れが生じているか否かを判定する。【選択図】図３
2010107187.tif 000002
【特許請求の範囲】
【請求項１】
圧縮機（30）、放熱器（34,37）、減圧機構（36）、及び蒸発器（34,37）が回路構成機器として設けられ、冷媒を循環させて冷凍サイクルを行う冷媒回路（20）における冷媒漏れの有無を診断する漏洩診断装置であって、
上記回路構成機器における冷媒のエクセルギーの損失量に基づいて、上記冷媒回路（20）から漏れた冷媒量に応じて変化する漏洩指標値を算出する指標値算出手段（31）と、
上記指標値算出手段（31）が算出した漏洩指標値に基づいて、上記冷媒回路（20）において冷媒漏れが生じているか否かを判定する漏洩判定手段（53）とを備えていることを特徴とする漏洩診断装置。
【請求項２】
請求項１において、
上記指標値算出手段（31）は、上記漏洩指標値として、上記放熱器（34,37）における冷媒のエクセルギーの損失量に基づいて放熱器側指標値を算出し、
上記漏洩判定手段（53）は、上記放熱器側指標値に基づいて、上記冷媒回路（20）において冷媒漏れが生じているか否かを判定することを特徴とする漏洩診断装置。
【請求項３】
請求項２において、
上記放熱器（34,37）では、ガス冷媒が冷却されて凝縮する一方、
上記指標値算出手段（31）は、上記放熱器（34,37）において冷媒がガス単相状態になっている過程でのエクセルギーの損失量を用いずに、上記放熱器側指標値を算出することを特徴とする漏洩診断装置。
【請求項４】
請求項２において、
上記指標値算出手段（31）は、上記放熱器（34,37）において冷媒が気液二相状態になっている過程でのエクセルギーの損失量と、上記放熱器（34,37）において冷媒が液単相状態になっている過程でのエクセルギーの損失量との一方に対する他方の比率を、上記放熱器側指標値として算出することを特徴とする漏洩診断装置。
【請求項５】
請求項４において、
上記冷媒回路（20）では、上記減圧機構（36）が開度可変の膨張弁（36）により構成され、上記膨張弁（36）の開度が、上記放熱器（34,37）から流出した冷媒の過冷却度が一定値になるように調節される一方、
上記漏洩判定手段（53）は、上記放熱器側指標値に基づけば上記冷媒回路（20）において冷媒漏れが生じていると判定できない場合であっても、上記膨張弁（36）の開度が所定の判定開度以下になると、上記冷媒回路（20）において冷媒漏れが生じていると判定することを特徴とする漏洩診断装置。
【請求項６】
請求項２又は３において、
上記指標値算出手段（31）は、上記放熱器（34,37）における冷媒のエクセルギーの損失量と、上記放熱器（34,37）における冷媒の放熱量との一方に対する他方の比率を、上記放熱器側指標値として算出することを特徴とする漏洩診断装置。
【請求項７】
請求項２又は３において、
上記指標値算出手段（31）は、上記放熱器（34,37）における冷媒のエクセルギーの損失量と、上記圧縮機（30）の入力との一方に対する他方の比率を、上記放熱器側指標値として算出することを特徴とする漏洩診断装置。
【請求項８】
請求項２乃至７の何れか１つにおいて、
上記冷媒回路（20）は、冷凍サイクルの低圧が一定値になるように制御される一方、
上記指標値算出手段（31）は、上記蒸発器（34,37）における冷媒のエクセルギーの損失量に基づいて蒸発器側指標値を算出し、
上記漏洩判定手段（53）は、上記蒸発器側指標値に基づいて上記冷媒回路（20）における冷媒漏れが所定のレベルにまで進行しているか否かを判定することを特徴とする漏洩診断装置。
【請求項９】
請求項１において、
上記指標値算出手段（31）は、上記漏洩指標値として、上記蒸発器（34,37）における冷媒のエクセルギーの損失量に基づいて蒸発器側指標値を算出し、
上記漏洩判定手段（53）は、上記蒸発器側指標値に基づいて、上記冷媒回路（20）において冷媒漏れが生じているか否かを判定することを特徴とする漏洩診断装置。
【請求項１０】
請求項９において、
上記指標値算出手段（31）は、上記蒸発器（34,37）において冷媒が気液二相状態になっている過程でのエクセルギーの損失量と、上記蒸発器（34,37）において冷媒がガス単相状態になっている過程でのエクセルギーの損失量との一方に対する他方の比率を、上記蒸発器側指標値として算出することを特徴とする漏洩診断装置。
【請求項１１】
請求項１０において、
上記冷媒回路（20）では、上記減圧機構（36）が開度可変の膨張弁（36）により構成され、上記膨張弁（36）の開度が、上記蒸発器（34,37）から流出した冷媒の過熱度が一定値になるように調節される一方、
上記漏洩判定手段（53）は、上記蒸発器側指標値に基づけば上記冷媒回路（20）において冷媒漏れが生じていると判定できない場合であっても、上記膨張弁（36）の開度が所定の判定開度以上になると、上記冷媒回路（20）において冷媒漏れが生じていると判定することを特徴とする漏洩診断装置。
【請求項１２】
請求項１において、
上記指標値算出手段（31）は、上記漏洩指標値として、上記圧縮機（30）における冷媒のエクセルギーの損失量に基づいて圧縮機側指標値を算出し、
上記漏洩判定手段（53）は、上記圧縮機側指標値に基づいて、上記冷媒回路（20）において冷媒漏れが生じているか否かを判定することを特徴とする漏洩診断装置。
【請求項１３】
請求項１において、
上記指標値算出手段（31）は、上記漏洩指標値として、上記放熱器（34,37）における冷媒のエクセルギーの損失量と、上記蒸発器（34,37）における冷媒のエクセルギーの損失量との一方に対する他方の比率を算出することを特徴とする漏洩診断装置。
【請求項１４】
請求項１乃至１３の何れか１つにおいて、
上記冷媒回路（20）には、上記圧縮機（30）に吸入される冷媒から液冷媒を分離するためのアキュームレータ（38）が設けられる一方、
上記漏洩判定手段（53）は、上記漏洩指標値に基づけば上記冷媒回路（20）において冷媒漏れが生じていると判定できる場合であっても、上記アキュームレータ（38）に流入する冷媒の過熱度と上記アキュームレータ（38）から流出した冷媒の過熱度との差が所定の吸入側基準値以上になる場合は、上記冷媒回路（20）において冷媒漏れが生じていると判定しないことを特徴とする漏洩診断装置。
【請求項１５】
圧縮機（30）、放熱器（34,37）、減圧機構（36）、及び蒸発器（34,37）が回路構成機器として設けられ、冷媒を循環させて冷凍サイクルを行う冷媒回路（20）における冷媒漏れの有無を診断するための漏洩診断装置であって、
上記回路構成機器における冷媒のエクセルギーの損失量に基づいて、上記冷媒回路（20）から漏れた冷媒量に応じて変化する漏洩指標値を算出する指標値算出手段（31）と、
上記指標値算出手段（31）が算出した漏洩指標値に基づく漏洩診断用の情報を表示する表示手段（56）とを備えていることを特徴とする漏洩診断装置。
【請求項１６】
圧縮機（30）、放熱器（34,37）、減圧機構（36）、及び蒸発器（34,37）が回路構成機器として設けられ、冷媒を循環させて冷凍サイクルを行う冷媒回路（20）と、
請求項１乃至１５の何れか１つに記載の漏洩診断装置（50）とを備えていることを特徴とする冷凍装置。
【請求項１７】
圧縮機（30）、放熱器（34,37）、減圧機構（36）、及び蒸発器（34,37）が回路構成機器として設けられ、冷媒を循環させて冷凍サイクルを行う冷媒回路（20）における冷媒漏れの有無を診断する漏洩診断方法であって、
上記回路構成機器における冷媒のエクセルギーの損失量に基づいて、上記冷媒回路（20）から漏れた冷媒量に応じて変化する漏洩指標値を算出する指標値算出ステップと、
上記指標値算出ステップで算出した漏洩指標値に基づいて、上記冷媒回路（20）において冷媒漏れが生じているか否かを判定する漏洩判定ステップとを備えていることを特徴とする漏洩診断方法。
【発明の詳細な説明】
【技術分野】
【０００１】
本発明は、冷媒回路からの冷媒の漏洩の有無を診断するための漏洩診断装置、漏洩診断方法、及び漏洩診断装置を備えた冷凍装置に関するものである。
【背景技術】
【０００２】
従来より、冷媒回路からの冷媒の漏洩の有無を診断するための漏洩診断装置が知られている。例えば特許文献１には、この種の漏洩診断装置として、異常検知システムが記載されている。この異常検知システムは、空気調和装置の冷凍サイクルの過冷却度、過熱度、低圧圧力、高圧圧力、外気温度、室内温度及び圧縮機回転数を利用して、冷媒漏洩の検知を行うように構成されている。
【０００３】
また、特許文献２には、冷媒回路の回路構成機器（例えば圧縮機）における冷媒のエクセルギーを分析して、回路構成機器の故障診断を行う冷凍装置の分析装置が記載されている。
【先行技術文献】
【特許文献】
【０００４】
【特許文献１】特開２００６−２７５４１１号公報
【特許文献２】特許第４０３９４６２号公報
【発明の概要】
【発明が解決しようとする課題】
【０００５】
ところで、従来は、冷媒回路からの冷媒の漏洩量に応じた指標値を用いて、冷媒の漏洩検知を行うことは提案されている。しかし、冷媒回路に設けられた回路構成機器における冷媒のエクセルギーの損失量から、上記指標値を算出できることは知られていなかった。このため、冷媒回路における冷媒漏れの有無を診断するのに、回路構成機器における冷媒のエクセルギーの損失量を用いることは考えられていなかった。
【０００６】
本発明は、かかる点に鑑みてなされたものであり、その目的は、冷凍サイクルを行う冷媒回路における冷媒漏れの有無を診断するための漏洩診断装置において、冷媒回路の回路構成機器における冷媒のエクセルギーの損失量を用いた冷媒漏れの診断を実現することにある。
【課題を解決するための手段】
【０００７】
第１の発明は、圧縮機（30）、放熱器（34,37）、減圧機構（36）、及び蒸発器（34,37）が回路構成機器として設けられ、冷媒を循環させて冷凍サイクルを行う冷媒回路（20）における冷媒漏れの有無を診断する漏洩診断装置（50）を対象とする。そして、この漏洩診断装置（50）は、上記回路構成機器における冷媒のエクセルギーの損失量に基づいて、上記冷媒回路（20）から漏れた冷媒量に応じて変化する漏洩指標値を算出する指標値算出手段（31）と、上記指標値算出手段（31）が算出した漏洩指標値に基づいて、上記冷媒回路（20）において冷媒漏れが生じているか否かを判定する漏洩判定手段（53）とを備えている。
【０００８】
第１の発明では、例えば放熱器（34,37）などの回路構成機器における冷媒のエクセルギーの損失量に基づいて、冷媒回路（20）から漏れた冷媒量に応じて変化する漏洩指標値が算出される。そして、漏洩指標値に基づいて、冷媒回路（20）において冷媒漏れが生じているか否かが判定される。ここで、冷媒回路（20）において冷媒漏れが生じると、回路構成機器における冷媒のエクセルギーの損失量に所定の変化が現れる。従って、回路構成機器における冷媒のエクセルギーの損失量を用いると、冷媒回路（20）から漏れた冷媒量に応じて変化する漏洩指標値を算出できる。漏洩指標値は、冷媒漏れが生じると所定の変化をする。このため、第１の発明では、回路構成機器における冷媒のエクセルギーの損失量に基づいて、冷媒回路（20）において冷媒漏れが生じると所定の変化をする漏洩指標値が算出され、その漏洩指標値に基づいて冷媒漏れの診断が行われる。
【０００９】
なお、「エクセルギー」とは、ある圧力、温度にある物質を環境状態まで変化させるとき、力学的エネルギーに変換できる最大仕事のことであり、「有効エネルギー」ともいう。回路構成機器における冷媒のエクセルギーの損失量は、「該回路構成機器において、理論サイクル（逆カルノーサイクル）に対して実際の冷凍サイクルで余分に必要になるエネルギー」であり、「実際の冷凍サイクルにおいて該回路構成機器で失われるエクセルギーの量」を意味している。「エクセルギーの損失量」を「エクセルギー損失」と表現することもできる。回路構成機器における冷媒のエクセルギーの損失量について具体的に説明する。
【００１０】
理論サイクルの圧縮行程では、断熱圧縮が行われ、冷媒のエントロピーが一定である。一方、実際の圧縮機（30）では、機械摩擦による損失や、冷媒に対して熱の出入りがあるため、理論サイクルに対してエネルギーが余分に必要となる。圧縮機（30）における冷媒のエクセルギーの損失量は、理論サイクルに対して余分に必要となるエネルギーに相当し、圧縮機（30）で生じる損失の大きさを表している。
【００１１】
また、理論サイクルの放熱行程では、冷媒の温度及び圧力が一定である。一方、実施の放熱器（34,37）では、冷媒が例えば空気などの流体と温度差をもって熱交換する上に、管路において摩擦損失が生じるため、理論サイクルに対してエネルギーが余分に必要となる。放熱器（34,37）における冷媒のエクセルギーの損失量は、理論サイクルに対して余分に必要となるエネルギーに相当し、放熱器（34,37）で生じる損失の大きさを表している。
【００１２】
理論サイクルの蒸発行程では、冷媒の温度及び圧力が一定である。一方、実施の蒸発器（34,37）では、冷媒が例えば空気などの流体と温度差をもって熱交換する上に、管路において摩擦損失が生じるため、理論サイクルに対してエネルギーが余分に必要となる。蒸発器（34,37）における冷媒のエクセルギーの損失量は、理論サイクルに対して余分に必要となるエネルギーに相当し、蒸発器（34,37）で生じる損失の大きさを表している。
【００１３】
また、理論サイクルの膨張行程では、断熱膨張が行われ、冷媒のエントロピーが一定である。一方、実際の減圧機構（36）では、摩擦損失が生じるため、理論サイクルに対してエネルギーが余分に必要となる。減圧機構（36）における冷媒のエクセルギーの損失量は、理論サイクルに対して余分に必要となるエネルギーに相当し、減圧機構（36）で生じる損失の大きさを表している。
【００１４】
第２の発明は、上記第１の発明において、上記指標値算出手段（31）が、上記漏洩指標値として、上記放熱器（34,37）における冷媒のエクセルギーの損失量に基づいて放熱器側指標値を算出し、上記漏洩判定手段（53）は、上記放熱器側指標値に基づいて、上記冷媒回路（20）において冷媒漏れが生じているか否かを判定する。
【００１５】
第２の発明では、漏洩指標値として、放熱器（34,37）における冷媒のエクセルギーの損失量に基づいて放熱器側指標値が算出される。ここで、冷媒回路（20）において冷媒漏れが生じると、冷凍サイクルの高圧の低下に伴って、放熱器（34,37）における冷媒のエクセルギーの損失量が低下する。つまり、冷媒漏れが生じると、放熱器（34,37）における冷媒のエクセルギーの損失量に所定の変化が現れる。このため、放熱器（34,37）における冷媒のエクセルギーの損失量に基づいて算出した放熱器側指標値に基づいて、冷媒漏れの診断が行われる。
【００１６】
第３の発明は、上記第２の発明において、上記放熱器（34,37）では、ガス冷媒が冷却されて凝縮する一方、上記指標値算出手段（31）は、上記放熱器（34,37）において冷媒がガス単相状態になっている過程でのエクセルギーの損失量を用いずに、上記放熱器側指標値を算出する。
【００１７】
第３の発明では、放熱器（34,37）において冷媒がガス単相状態になっている過程でのエクセルギーの損失量を用いずに、放熱器側指標値が算出される。
【００１８】
第４の発明は、上記第３の発明において、上記指標値算出手段（31）が、上記放熱器（34,37）において冷媒が気液二相状態になっている過程でのエクセルギーの損失量と、上記放熱器（34,37）において冷媒が液単相状態になっている過程でのエクセルギーの損失量との一方に対する他方の比率を、上記放熱器側指標値として算出する。
【００１９】
第４の発明では、「放熱器（34,37）において冷媒が気液二相状態になっている過程でのエクセルギーの損失量」と「放熱器（34,37）において冷媒が液単相状態になっている過程でのエクセルギーの損失量」との一方に対する他方の比率が、放熱器側指標値として算出される。ここで、冷媒回路（20）において冷媒漏れが生じると、冷凍サイクルの高圧の低下に伴って、「放熱器（34,37）において冷媒が気液二相状態になっている過程でのエクセルギーの損失量」と「放熱器（34,37）において冷媒が液単相状態になっている過程でのエクセルギーの損失量」とがそれぞれ低下する。また、放熱器（34,37）における冷媒の凝縮温度と放熱器（34,37）において冷媒と熱交換する流体の温度（例えば室外空気の温度）との差が小さくなるので、放熱器（34,37）から流出した冷媒の過冷却度が小さくなる。このため、「放熱器（34,37）において冷媒が気液二相状態になっている過程でのエクセルギーの損失量」と「放熱器（34,37）において冷媒が液単相状態になっている過程でのエクセルギーの損失量」のうち、特に後者が大きく低下する。従って、冷媒漏れが生じると、放熱器側指標値に所定の変化が現れる。このため、「放熱器（34,37）において冷媒が気液二相状態になっている過程でのエクセルギーの損失量」と「放熱器（34,37）において冷媒が液単相状態になっている過程でのエクセルギーの損失量」との一方に対する他方の比率を放熱器側指標値として、該放熱器側指標値に基づいて冷媒漏れの診断が行われる。
【００２０】
第５の発明は、上記第４の発明において、上記冷媒回路（20）では、上記減圧機構（36）が開度可変の膨張弁（36）により構成され、上記膨張弁（36）の開度が、上記放熱器（34,37）から流出した冷媒の過冷却度が一定値になるように調節される一方、上記漏洩判定手段（53）は、上記放熱器側指標値に基づけば上記冷媒回路（20）において冷媒漏れが生じていると判定できない場合であっても、上記膨張弁（36）の開度が所定の判定開度以下になると、上記冷媒回路（20）において冷媒漏れが生じていると判定する。
【００２１】
第５の発明では、放熱器側指標値に基づけば冷媒漏れが生じていると判定できない場合であっても、膨張弁（36）の開度が判定開度以下になると、冷媒漏れが生じていると判定する。ここで、放熱器（34,37）から流出した冷媒の過冷却度が一定値になるように膨張弁（36）の開度が調節される場合は、冷媒回路（20）から漏洩した冷媒の量が比較的少ない状態では、放熱器（34,37）から流出した冷媒の過冷却度がほとんど変化しない。このため、「放熱器（34,37）において冷媒が気液二相状態になっている過程でのエクセルギーの損失量」と「放熱器（34,37）において冷媒が液単相状態になっている過程でのエクセルギーの損失量」との一方に対する他方の比率が、ほとんど変化しない。つまり、放熱器側指標値がほとんど変化しない。他方、冷媒漏れにより放熱器（34,37）を流れる冷媒が減少すると、放熱器（34,37）から流出した冷媒の過冷却度が低下しないように、膨張弁（36）の開度が小さくなってゆく。冷媒漏れが生じると、放熱器側指標値よりも先に膨張弁（36）の開度に変化が現れる。第５の発明では、そのような点に着目して、放熱器側指標値に基づけば冷媒漏れが生じていると判定できない場合であっても、膨張弁（36）の開度が判定開度以下になると、冷媒漏れが生じていると判定する。
【００２２】
第６の発明は、上記第２又は第３の発明において、上記指標値算出手段（31）が、上記放熱器（34,37）における冷媒のエクセルギーの損失量と、上記放熱器（34,37）における冷媒の放熱量との一方に対する他方の比率を、上記放熱器側指標値として算出する。
【００２３】
第６の発明では、「放熱器（34,37）における冷媒のエクセルギーの損失量」と「放熱器（34,37）における冷媒の放熱量」との一方に対する他方の比率が、放熱器側指標値として算出される。ここで、冷媒回路（20）において冷媒漏れが生じると、冷凍サイクルの高圧の低下に伴って、「放熱器（34,37）における冷媒のエクセルギーの損失量」と「放熱器（34,37）における冷媒の放熱量」とが、ほぼ同じ量だけ低下する。そして、前者と後者では後者の方がかなり大きな値である。このため、冷媒漏れが生じると、放熱器側指標値に所定の変化が現れる。このため、「放熱器（34,37）における冷媒のエクセルギーの損失量」と「放熱器（34,37）における冷媒の放熱量」との一方に対する他方の比率を放熱器側指標値として、該放熱器側指標値に基づいて冷媒漏れの診断が行われる。
【００２４】
第７の発明は、上記第２又は第３の発明において、上記指標値算出手段（31）が、上記放熱器（34,37）における冷媒のエクセルギーの損失量と上記圧縮機（30）の入力との一方に対する他方の比率を、上記放熱器側指標値として算出する。
【００２５】
第７の発明では、「放熱器（34,37）における冷媒のエクセルギーの損失量」と「圧縮機（30）の入力」との一方に対する他方の比率が、放熱器側指標値として算出される。ここで、冷媒回路（20）において冷媒漏れが生じると、冷凍サイクルの高圧の低下に伴って、「放熱器（34,37）における冷媒のエクセルギーの損失量」と「圧縮機（30）の入力」とが、ほぼ同じ量だけ低下する。そして、前者と後者では後者の方がかなり大きな値である。このため、冷媒漏れが生じると、放熱器側指標値に所定の変化が現れる。このため、「放熱器（34,37）における冷媒のエクセルギーの損失量」と「圧縮機（30）の入力」との一方に対する他方の比率を放熱器側指標値として、該放熱器側指標値に基づいて冷媒漏れの診断が行われる。
【００２６】
第８の発明は、上記第２乃至第７の何れか１つの発明において、上記冷媒回路（20）が、冷凍サイクルの低圧が一定値になるように制御される一方、上記指標値算出手段（31）は、上記蒸発器（34,37）における冷媒のエクセルギーの損失量に基づいて蒸発器側指標値を算出し、上記漏洩判定手段（53）は、上記蒸発器側指標値に基づいて上記冷媒回路（20）における冷媒漏れが所定のレベルにまで進行しているか否かを判定する。
【００２７】
第８の発明では、放熱器側指標値に基づいて、冷媒回路（20）において冷媒漏れが生じているか否かが判定され、蒸発器側指標値に基づいて、冷媒回路（20）における冷媒漏れが所定のレベルにまで進行しているか否かが判定される。ここで、冷凍サイクルの低圧が一定値になるように冷媒回路（20）が制御される場合は、冷媒回路（20）から漏洩した冷媒の量が比較的少ない状態では、放熱器（34,37）における冷媒のエクセルギーの損失量が比較的大きく変化するのに対して、蒸発器（34,37）における冷媒のエクセルギーの損失量はほとんど変化しない。しかし、蒸発器（34,37）における冷媒のエクセルギーの損失量は、冷媒回路（20）から漏洩した冷媒の量が比較的多い状態では、比較的大きく変化する。第８の発明では、そのような点に着目して、放熱器側指標値に基づいて、冷媒回路（20）において冷媒漏れが生じているか否かが判定され、蒸発器側指標値に基づいて、冷媒回路（20）における冷媒漏れが所定のレベルにまで進行しているか否かが判定される。
【００２８】
第９の発明は、上記第１の発明において、上記指標値算出手段（31）が、上記漏洩指標値として、上記蒸発器（34,37）における冷媒のエクセルギーの損失量に基づいて蒸発器側指標値を算出し、上記漏洩判定手段（53）は、上記蒸発器側指標値に基づいて、上記冷媒回路（20）において冷媒漏れが生じているか否かを判定する。
【００２９】
第９の発明では、漏洩指標値として、蒸発器（34,37）における冷媒のエクセルギーの損失量に基づいて蒸発器側指標値が算出される。ここで、冷媒回路（20）において冷媒漏れが生じると、冷凍サイクルの低圧の低下に伴って、蒸発器（34,37）における冷媒のエクセルギーの損失量が低下する。つまり、冷媒漏れが生じると、蒸発器（34,37）における冷媒のエクセルギーの損失量に所定の変化が現れる。このため、蒸発器（34,37）における冷媒のエクセルギーの損失量に基づいて算出した蒸発器側指標値に基づいて、冷媒漏れの診断が行われる。
【００３０】
第１０の発明は、上記第９の発明において、上記指標値算出手段（31）が、上記蒸発器（34,37）において冷媒が気液二相状態になっている過程でのエクセルギーの損失量と、上記蒸発器（34,37）において冷媒がガス単相状態になっている過程でのエクセルギーの損失量との一方に対する他方の比率を、上記蒸発器側指標値として算出する。
【００３１】
第１０の発明では、「蒸発器（34,37）において冷媒が気液二相状態になっている過程でのエクセルギーの損失量」と「蒸発器（34,37）において冷媒がガス単相状態になっている過程でのエクセルギーの損失量」との一方に対する他方の比率が、蒸発器側指標値として算出される。ここで、冷媒回路（20）において冷媒漏れが生じると、蒸発器（34,37）から流出した冷媒の過熱度が大きくなり、それに伴って、「蒸発器（34,37）において冷媒がガス単相状態になっている過程でのエクセルギーの損失量」が増大する。一方、「蒸発器（34,37）において冷媒が気液二相状態になっている過程でのエクセルギーの損失量」は、それほど変化しない。従って、冷媒漏れが生じると、放熱器側指標値に所定の変化が現れる。このため、「蒸発器（34,37）において冷媒が気液二相状態になっている過程でのエクセルギーの損失量」と「蒸発器（34,37）において冷媒がガス単相状態になっている過程でのエクセルギーの損失量」との一方に対する他方の比率を蒸発器側指標値として、該蒸発器側指標値に基づいて冷媒漏れの診断が行われる。
【００３２】
第１１の発明は、上記第１０の発明において、上記冷媒回路（20）では、上記減圧機構（36）が開度可変の膨張弁（36）により構成され、上記膨張弁（36）の開度が、上記蒸発器（34,37）から流出した冷媒の過熱度が一定値になるように調節される一方、上記漏洩判定手段（53）は、上記蒸発器側指標値に基づけば上記冷媒回路（20）において冷媒漏れが生じていると判定できない場合であっても、上記膨張弁（36）の開度が所定の判定開度以上になると、上記冷媒回路（20）において冷媒漏れが生じていると判定する。
【００３３】
第１１の発明では、蒸発器側指標値に基づけば冷媒漏れが生じていると判定できない場合であっても、膨張弁（36）の開度が判定開度以上になると、冷媒漏れが生じていると判定する。ここで、蒸発器（34,37）から流出した冷媒の過熱度が一定値になるように膨張弁（36）の開度が調節される場合は、冷媒回路（20）から漏洩した冷媒の量が比較的少ない状態では、蒸発器（34,37）から流出した冷媒の過熱度がほとんど変化しない。このため、「蒸発器（34,37）において冷媒が気液二相状態になっている過程でのエクセルギーの損失量」と「蒸発器（34,37）において冷媒がガス単相状態になっている過程でのエクセルギーの損失量」との一方に対する他方の比率がほとんど変化しない。つまり、蒸発器側指標値がほとんど変化しない。他方、冷媒漏れにより蒸発器（34,37）を流れる冷媒が減少すると、蒸発器（34,37）から流出した冷媒の過熱度が増大しないように、膨張弁（36）の開度が大きくなってゆく。冷媒漏れが生じると、蒸発器側指標値よりも先に膨張弁（36）の開度に変化が現れる。第１１の発明では、そのような点に着目して、蒸発器側指標値に基づけば冷媒漏れが生じていると判定できない場合であっても、膨張弁（36）の開度が判定開度以上になると、冷媒漏れが生じていると判定する。
【００３４】
第１２の発明は、上記第１の発明において、上記指標値算出手段（31）が、上記漏洩指標値として、上記圧縮機（30）における冷媒のエクセルギーの損失量に基づいて圧縮機側指標値を算出し、上記漏洩判定手段（53）は、上記圧縮機側指標値に基づいて、上記冷媒回路（20）において冷媒漏れが生じているか否かを判定する。
【００３５】
第１２の発明では、漏洩指標値として、圧縮機（30）における冷媒のエクセルギーの損失量に基づいて圧縮機側指標値が算出される。ここで、冷媒回路（20）において冷媒漏れが生じると、圧縮機（30）に吸入される冷媒の過熱度の増大に伴って、圧縮機（30）における冷媒のエクセルギーの損失量が増大する。つまり、冷媒漏れが生じると、圧縮機（30）における冷媒のエクセルギーの損失量に所定の変化が現れる。このため、圧縮機（30）における冷媒のエクセルギーの損失量に基づいて算出した圧縮機側指標値に基づいて、冷媒漏れの診断が行われる。
【００３６】
第１３の発明は、上記第１の発明において、上記指標値算出手段（31）が、上記漏洩指標値として、上記放熱器（34,37）における冷媒のエクセルギーの損失量と上記蒸発器（34,37）における冷媒のエクセルギーの損失量との一方に対する他方の比率を算出する。
【００３７】
第１３の発明では、「放熱器（34,37）における冷媒のエクセルギーの損失量」と「蒸発器（34,37）における冷媒のエクセルギーの損失量」との一方に対する他方の比率が、漏洩指標値として算出される。ここで、例えば冷凍サイクルの低圧が一定値になるように冷媒回路（20）が制御される場合は、冷媒漏れが生じると、冷凍サイクルの高圧の低下に伴って、放熱器（34,37）における冷媒のエクセルギーの損失量が低下する一方で、蒸発器（34,37）における冷媒のエクセルギーの損失量がほとんど変化しない。このため、漏洩指標値に所定の変化が現れる。また、例えば冷凍サイクルの高圧が一定値になるように冷媒回路（20）が制御される場合も同様に、冷媒漏れが生じると、漏洩指標値に所定の変化が現れる。このため、「放熱器（34,37）における冷媒のエクセルギーの損失量」と「蒸発器（34,37）における冷媒のエクセルギーの損失量」との一方に対する他方の比率を漏洩指標値として、該漏洩指標値に基づいて冷媒漏れの診断が行われる。
【００３８】
第１４の発明は、上記第１乃至第１３の何れか１つの発明において、上記冷媒回路（20）には、上記圧縮機（30）に吸入される冷媒から液冷媒を分離するためのアキュームレータ（38）が設けられる一方、上記漏洩判定手段（53）は、上記漏洩指標値に基づけば上記冷媒回路（20）において冷媒漏れが生じていると判定できる場合であっても、上記アキュームレータ（38）に流入する冷媒の過熱度と上記アキュームレータ（38）から流出した冷媒の過熱度との差が所定の吸入側基準値以上になる場合は、上記冷媒回路（20）において冷媒漏れが生じていると判定しない。
【００３９】
第１４の発明では、漏洩指標値に基づけば冷媒漏れが生じていると判定できる場合であっても、アキュームレータ（38）に流入する冷媒の過熱度とアキュームレータ（38）から流出した冷媒の過熱度との差が吸入側基準値以上になる場合は、冷媒漏れが生じていると判定しない。アキュームレータ（38）における出入口の過熱度差が吸入側基準値以上になる場合は、アキュームレータ（38）に比較的多くの冷媒が溜まった状態になっている。第１４の発明では、漏洩指標値に基づけば冷媒漏れが生じていると判定できる場合であっても、アキュームレータ（38）に比較的多くの冷媒が溜まっている場合は、冷媒漏れが生じていると判定しない。
【００４０】
第１５の発明は、圧縮機（30）、放熱器（34,37）、減圧機構（36）、及び蒸発器（34,37）が回路構成機器として設けられ、冷媒を循環させて冷凍サイクルを行う冷媒回路（20）における冷媒漏れの有無を診断するための漏洩診断装置（50）を対象とする。そして、この漏洩診断装置（50）は、上記回路構成機器における冷媒のエクセルギーの損失量に基づいて、上記冷媒回路（20）から漏れた冷媒量に応じて変化する漏洩指標値を算出する指標値算出手段（31）と、上記指標値算出手段（31）が算出した漏洩指標値に基づく漏洩診断用の情報を表示する表示手段（56）とを備えている。
【００４１】
第１５の発明では、回路構成機器における冷媒のエクセルギーの損失量に基づいて、冷媒回路（20）から漏れた冷媒量に応じて変化する漏洩指標値が算出される。そして、漏洩指標値に基づく漏洩診断用の情報が、表示手段（56）に表示される。このため、表示手段（56）に表示された漏洩診断用の情報を見た人間によって、冷媒漏れの診断を行うことが可能である。
【００４２】
第１６の発明は、圧縮機（30）、放熱器（34,37）、減圧機構（36）、及び蒸発器（34,37）が回路構成機器として設けられ、冷媒を循環させて冷凍サイクルを行う冷媒回路（20）と、第１乃至第１５の何れか１つの漏洩診断装置（50）とを備えている冷凍装置（10）である。
【００４３】
第１６の発明では、冷凍装置（10）が、回路構成機器における冷媒のエクセルギーの損失量を用いて漏洩指標値を算出する漏洩診断装置（50）を備えている。
【００４４】
第１７の発明は、圧縮機（30）、放熱器（34,37）、減圧機構（36）、及び蒸発器（34,37）が回路構成機器として設けられ、冷媒を循環させて冷凍サイクルを行う冷媒回路（20）に対して、冷媒漏れの有無を診断する漏洩診断方法を対象とする。そして、この漏洩診断方法は、上記回路構成機器における冷媒のエクセルギーの損失量に基づいて、上記冷媒回路（20）から漏れた冷媒量に応じて変化する漏洩指標値を算出する指標値算出ステップと、上記指標値算出ステップで算出した漏洩指標値に基づいて、上記冷媒回路（20）において冷媒漏れが生じているか否かを判定する漏洩判定ステップとを備えている。
【００４５】
第１７の発明では、例えば放熱器（34,37）などの回路構成機器における冷媒のエクセルギーの損失量を用いて、冷媒回路（20）から漏れた冷媒量に応じて変化する漏洩指標値が算出される。そして、漏洩指標値に基づいて、冷媒回路（20）において冷媒漏れが生じているか否かが判定される。第１７の発明では、回路構成機器における冷媒のエクセルギーの損失量を用いて、冷媒回路（20）において冷媒漏れが生じると所定の変化をする漏洩指標値が算出され、その漏洩指標値に基づいて冷媒漏れの診断が行われる。
【発明の効果】
【００４６】
本発明では、回路構成機器における冷媒のエクセルギーの損失量に基づいて、冷媒回路（20）において冷媒漏れが生じると所定の変化をする漏洩指標値が算出され、その漏洩指標値に基づいて冷媒漏れの診断が行われる。冷媒回路（20）における冷媒漏れは、例えば、漏洩指標値の変化を監視することにより検知することが可能である。従って、冷媒回路（20）の回路構成機器における冷媒のエクセルギーの損失量を用いた冷媒漏れの診断を実現することができる。
【００４７】
また、上記第２の発明では、冷媒回路（20）において冷媒漏れが生じると、放熱器（34,37）における冷媒のエクセルギーの損失量に所定の変化が現れるので、放熱器（34,37）における冷媒のエクセルギーの損失量に基づいて算出した放熱器側指標値に基づいて、冷媒漏れの診断が行われる。従って、放熱器（34,37）における冷媒のエクセルギーの損失量を用いた冷媒漏れの診断を実現することができる。
【００４８】
また、上記第２の発明では、例えば冷凍サイクルの低圧が一定値になるように冷媒回路（20）が制御される場合は、冷媒回路（20）から漏洩した冷媒の量が比較的少ない状態でも、放熱器（34,37）における冷媒のエクセルギーの損失量にある程度大きな変化が現れる。ここで、従来の漏洩検出方法は、冷媒漏れがある程度進行した状態を検出することができるが、冷媒漏れの程度が小さい状態では、冷媒漏れの検出に用いる物理量（例えば冷凍サイクルの低圧圧力）がほとんど変化しないので、冷媒漏れの程度が小さい状態を検出することができなかった。このため、冷媒回路（20）からある程度の量の冷媒が漏れてしまい、回路構成機器の状態に影響を与えるだけでなく、例えばフロン系冷媒を用いる場合は、地球環境に影響を与えるおそれがあった。これに対して、第２の発明では、冷媒回路（20）から漏洩した冷媒の量が比較的少ない状態でもある程度大きな変化が表れる「放熱器（34,37）における冷媒のエクセルギーの損失量」を利用しているので、冷媒回路（20）から漏洩した冷媒の量が比較的少ない段階で、冷媒漏れを検知することができる。従って、冷媒回路（20）から漏れる冷媒量を低減させることができ、地球環境に影響を与える冷媒を用いる場合は、地球環境に与える影響を低減させることができる。
【００４９】
また、上記第３の発明では、放熱器（34,37）において冷媒がガス単相状態になっている過程でのエクセルギーの損失量を用いずに、放熱器側指標値が算出される。ここで、放熱器（34,37）全体における冷媒のエクセルギーの損失量は、図２における(c)の領域の面積で表される。放熱器（34,37）全体における冷媒のエクセルギーの損失量に基づいて放熱器側指標値を算出する場合は、(c)の領域の面積を算出する必要がある。(c)の領域の面積を算出するには、図２における点Ｂの座標値が必要となる。点Ｂの座標値は、圧縮機（30）における圧縮行程の終了後の冷媒の温度及びエントロピーからなる。しかし、圧縮機（30）の圧縮室の出口にセンサを設けることは困難である。また、圧縮室から吐出された冷媒の温度は吐出管（40）に至るまでに低下するので、圧縮機（30）の吐出管（40）に設けた温度センサを用いても、圧縮行程の終了後の冷媒の温度及びエントロピーを正確に検出できない。従って、放熱器（34,37）全体における冷媒のエクセルギーの損失量に基づいて放熱器側指標値を算出する場合は、点Ｂの座標値の誤差により、放熱器側指標値が正確な値とならない。それに対して、第３の発明では、放熱器（34,37）において冷媒がガス単相状態になっている過程でのエクセルギーの損失量を用いずに放熱器側指標値が算出されるので、放熱器側指標値の算出に、圧縮行程の終了後の冷媒の温度及びエントロピーが必要とならない。従って、比較的正確な値だけを用いて、放熱器側指標値を算出することができる。
【００５０】
また、上記第４の発明では、冷媒回路（20）において冷媒漏れが生じると、「放熱器（34,37）において冷媒が気液二相状態になっている過程でのエクセルギーの損失量」と「放熱器（34,37）において冷媒が液単相状態になっている過程でのエクセルギーの損失量」との一方に対する他方の比率に所定の変化が現れるので、この比率を放熱器側指標値として、該放熱器側指標値に基づいて冷媒漏れの診断が行われる。この放熱器側指標値は、エクセルギーの損失量同士の比率であるため、無次元化された値となる。ここで、冷媒回路（20）の定格能力が異なるもの同士で、同じ回路構成機器における冷媒のエクセルギーの損失量の大きさを比較すると、同じ運転条件で比較したとしても、値に差が生じる。このため、漏洩指標値が無次元化されていない場合は、冷媒回路（20）の定格能力を考慮して冷媒漏れの診断を行う必要がある。それに対して、上記第４の発明では、放熱器側指標値が無次元化されているため、冷媒回路（20）の定格能力が異なるもの同士を比較しても、放熱器側指標値にそれほど差は生じない。このため、冷媒回路（20）の定格能力を考慮することなく、冷媒漏れの診断を行うことができる。例えば、放熱器側指標値を所定の基準値と比較することによって冷媒漏れが生じているか否かを判定する場合は、定格能力が異なる冷媒回路（20）の間で共通の基準値を用いて冷媒漏れの診断を行うことができる。
【００５１】
また、上記第５の発明では、放熱器（34,37）から流出した冷媒の過冷却度が一定値になるように膨張弁（36）の開度が調節される場合は、冷媒漏れが生じると、放熱器側指標値よりも先に膨張弁（36）の開度に変化が現れるので、膨張弁（36）の開度が判定開度以下になると、冷媒漏れが生じていると判定している。従って、冷媒回路（20）から漏れた冷媒量が少ない段階で、冷媒漏れを検知することができる。
【００５２】
また、上記第６の発明では、冷媒回路（20）において冷媒漏れが生じると、「放熱器（34,37）における冷媒のエクセルギーの損失量」と「放熱器（34,37）における冷媒の放熱量」との一方に対する他方の比率に所定の変化が現れるので、この比率を放熱器側指標値として、該放熱器側指標値に基づいて冷媒漏れの診断が行われる。この放熱器側指標値は、上記第４の発明と同様に、エクセルギーの損失量同士の比率であるため、無次元化された値となる。このため、冷媒回路（20）の定格能力を考慮することなく、冷媒漏れの診断を行うことができる。
【００５３】
また、第６の発明では、「放熱器（34,37）における冷媒の放熱量」が、冷媒回路（20）の動作状態（例えば、冷媒の循環量）を反映した値である。ここで、放熱器（34,37）における冷媒のエクセルギーの損失量は、冷媒漏れが生じたときだけでなく、冷媒回路（20）の動作状態（例えば、冷媒の循環量）によっても変化する。このため、冷媒漏れの診断に放熱器（34,37）における冷媒のエクセルギーの損失量をそのまま用いる場合は、冷媒回路（20）の動作状態を考慮する必要がある。例えば、放熱器側指標値を所定の基準値と比較することによって冷媒漏れの診断を行う場合は、該基準値を決めたときの冷媒回路（20）の動作状態を再現し、その状態の放熱器側指標値を基準値と比較する必要である。それに対して、第６の発明では、冷媒回路（20）の動作状態を反映した放熱器側指標値を用いるので、冷媒回路（20）の動作状態をそれほど考慮することなく、冷媒漏れの診断を行うことができる。
【００５４】
また、上記第７の発明では、冷媒回路（20）において冷媒漏れが生じると、「放熱器（34,37）における冷媒のエクセルギーの損失量」と「圧縮機（30）の入力」との一方に対する他方の比率に所定の変化が現れるので、この比率を放熱器側指標値として、該放熱器側指標値に基づいて冷媒漏れの診断が行われる。この放熱器側指標値は、上記第４の発明と同様に、エクセルギーの損失量同士の比率であるため、無次元化された値となる。このため、冷媒回路（20）の定格能力を考慮することなく、冷媒漏れの診断を行うことができる。
【００５５】
また、第７の発明では、「圧縮機（30）の入力」が、冷媒回路（20）の動作状態（例えば、冷媒の循環量）を反映した値である。冷媒回路（20）の動作状態を反映した放熱器側指標値が冷媒漏れの診断に用いられる。従って、上記第６の発明と同様に、冷媒回路（20）の動作状態をそれほど考慮することなく、冷媒漏れの診断を行うことができる。
【００５６】
また、上記第８の発明では、放熱器側指標値に基づいて、冷媒回路（20）において冷媒漏れが生じているか否かが判定され、蒸発器側指標値に基づいて、冷媒回路（20）における冷媒漏れが所定のレベルにまで進行しているか否かが判定される。従って、冷媒漏れが生じているか否かだけではなく、冷媒回路（20）における冷媒漏れが所定のレベルにまで進行しているか否も検知することができる。
【００５７】
また、上記第９の発明では、冷媒回路（20）において冷媒漏れが生じると、蒸発器（34,37）における冷媒のエクセルギーの損失量に所定の変化が現れるので、蒸発器（34,37）における冷媒のエクセルギーの損失量に基づいて算出した蒸発器側指標値に基づいて、冷媒漏れの診断が行われる。従って、蒸発器（34,37）における冷媒のエクセルギーの損失量を用いた冷媒漏れの診断を実現することができる。
【００５８】
また、上記第１０の発明では、冷媒回路（20）において冷媒漏れが生じると、「蒸発器（34,37）において冷媒が気液二相状態になっている過程でのエクセルギーの損失量」と「蒸発器（34,37）において冷媒がガス単相状態になっている過程でのエクセルギーの損失量」との一方に対する他方の比率に所定の変化が現れるので、この比率を蒸発器側指標値として、該蒸発器側指標値に基づいて冷媒漏れの診断が行われる。この蒸発器側指標値は、エクセルギーの損失量同士の比率であるため、無次元化された値となる。このため、上記第４の発明と同様に、冷媒回路（20）の定格能力を考慮することなく、冷媒漏れの診断を行うことができる。
【００５９】
また、上記第１１の発明では、蒸発器（34,37）から流出した冷媒の過熱度が一定値になるように膨張弁（36）の開度が調節される場合は、蒸発器側指標値よりも先に膨張弁（36）の開度に変化が現れるので、膨張弁（36）の開度が判定開度以上になると、冷媒漏れが生じていると判定している。従って、冷媒回路（20）から漏れた冷媒量が少ない段階で、冷媒漏れを検知することができる。
【００６０】
また、上記第１２の発明では、冷媒回路（20）において冷媒漏れが生じると、圧縮機（30）における冷媒のエクセルギーの損失量に所定の変化が現れるので、圧縮機（30）における冷媒のエクセルギーの損失量に基づいて算出した圧縮機側指標値に基づいて、冷媒漏れの診断が行われる。従って、圧縮機（30）における冷媒のエクセルギーの損失量を用いた冷媒漏れの診断を実現することができる。
【００６１】
また、上記第１３の発明では、冷媒回路（20）において冷媒漏れが生じると、「放熱器（34,37）における冷媒のエクセルギーの損失量」と「蒸発器（34,37）における冷媒のエクセルギーの損失量」との一方に対する他方の比率に所定の変化が現れるので、この比率を漏洩指標値として、該漏洩指標値に基づいて冷媒漏れの診断が行われる。この漏洩指標値は、エクセルギーの損失量同士の比率であるため、無次元化された値となる。このため、上記第４の発明と同様に、冷媒回路（20）の定格能力を考慮することなく、冷媒漏れの診断を行うことができる。
【００６２】
また、上記第１４の発明では、漏洩指標値に基づけば冷媒漏れが生じていると判定できる場合であっても、アキュームレータ（38）に比較的多くの冷媒が溜まっている場合は、冷媒漏れが生じていると判定しない。ここで、例えば空調負荷が低くなると、冷媒回路（20）における冷媒の循環量が減少し、アキュームレータ（38）に溜まる冷媒量が増加する。しかし、アキュームレータ（38）に溜まる冷媒量が増加した後に圧縮機（30）の運転容量が増加しても、アキュームレータ（38）内の冷媒量が減少するのに時間が掛かる。従って、アキュームレータ（38）内の冷媒量が減少するまでは、冷媒回路（20）では冷媒の循環量が不足するので、このような状態を冷媒漏れと誤判定するおそれがある。第１４の発明では、そのような誤判定を防止するために、漏洩指標値に基づいて冷媒漏れが生じていると判定される場合であっても、アキュームレータ（38）に流入する冷媒の過熱度とアキュームレータ（38）から流出した冷媒の過熱度との差が所定の吸入側基準値以上になる場合は、アキュームレータ（38）に比較的多くの冷媒が溜まっていると判断して、冷媒漏れと判定しない。従って、アキュームレータ（38）に比較的多くの冷媒が溜まる状態を、冷媒漏れと誤判定することを抑制することができる。
【図面の簡単な説明】
【００６３】
【図１】実施形態に係る空気調和装置の概略構成図である。
【図２】実施形態に係る漏洩診断装置において漏洩指標値の算出に用いられる領域を示すＴ−ｓ線図（温度−エントロピー線図）である。
【図３】実施形態に係る漏洩診断装置において漏洩指標値の算出に用いられる領域を示すＴ−ｓ線図であり、（Ａ）は基準状態の図であり、（Ｂ）は第１進行状態の図である。
【図４】実施形態に係る漏洩診断装置において漏洩指標値の算出に用いられる領域を示すＴ−ｓ線図であり、（Ａ）は基準状態の図であり、（Ｂ）は第２進行状態の図である。
【図５】実施形態の変形例１に係る空気調和装置の概略構成図である。
【図６】実施形態の変形例１に係る漏洩診断装置において漏洩指標値の算出に用いられる領域を示すＴ−ｓ線図であり、（Ａ）は基準状態の図であり、（Ｂ）は第１進行状態の図である。
【図７】実施形態の変形例１に係る漏洩診断装置において漏洩指標値の算出に用いられる領域を示すＴ−ｓ線図であり、（Ａ）は基準状態の図であり、（Ｂ）は第２進行状態の図である。
【図８】その他の実施形態の第２変形例に係る漏洩診断装置のブロック図である。
【図９】その他の実施形態の第２変形例に係る漏洩診断装置によって出力される月平均指標値の一例を示す図表である。
【図１０】その他の実施形態の第２変形例に係る漏洩診断装置によって出力される月平均指標値の別の一例を示す図表である。
【発明を実施するための形態】
【００６４】
以下、本発明の実施形態を図面に基づいて詳細に説明する。
【００６５】
本実施形態は、本発明に係る漏洩診断装置（50）を備えた冷凍装置（10）である。この冷凍装置（10）は、図１に示すように、室外ユニット（11）と室内ユニット（13）とを備えた空気調和装置（10）であって、冷房運転と暖房運転とを切り換えて行うように構成されている。
【００６６】
−冷凍装置の構成−
室外ユニット（11）には、室外回路（21）が設けられている。室内ユニット（13）には、室内回路（22）が設けられている。この冷凍装置（10）では、室外回路（21）と室内回路（22）を液側連絡配管（23）及びガス側連絡配管（24）で接続することによって、蒸気圧縮冷凍サイクルを行う冷媒回路（20）が構成されている。冷媒回路（20）には、例えばフロン系の冷媒が充填されている。冷媒回路（20）に充填された冷媒量は、暖房運転時における冷媒の必要量から決められている。
【００６７】
《室外ユニット》
室外ユニット（11）の室外回路（21）には、圧縮機（30）と、熱源側熱交換器を構成する室外熱交換器（34）と、減圧機構を構成する膨張弁（36）とが、回路構成機器として設けられている。また、室外回路（21）には、圧縮機（30）が接続される四路切換弁（33）と、液側連絡配管（23）が接続される液側閉鎖弁（25）と、ガス側連絡配管（24）が接続されるガス側閉鎖弁（26）とが設けられている。
【００６８】
圧縮機（30）は、密閉容器状のケーシング内が圧縮後の冷媒で満たされる高圧ドーム型の圧縮機により構成されている。圧縮機（30）の吐出側は、吐出管（40）を介して四路切換弁（33）の第１ポート（P1）に接続されている。圧縮機（30）の吸入側は、吸入管（41）を介して四路切換弁（33）の第３ポート（P3）に接続されている。吸入管（41）には、密閉容器状のアキュームレータ（38）が設けられている。
【００６９】
室外熱交換器（34）は、クロスフィン式のフィン・アンド・チューブ型熱交換器により構成されている。室外熱交換器（34）には、室外熱交換器（34）の近傍に設けられた室外ファン（12）によって室外空気が供給される。室外熱交換器（34）では、室外空気と冷媒との間で熱交換が行われる。なお、室外ファン（12）は、風量を複数段階に調節できる。
【００７０】
室外熱交換器（34）の一端は、四路切換弁（33）の第４ポート（P4）に接続されている。室外熱交換器（34）の他端は、液配管（42）を介して液側閉鎖弁（25）に接続されている。この液配管（42）には、開度可変の膨張弁（36）と、密閉容器状のレシーバ（39）とが設けられている。また、四路切換弁（33）の第２ポート（P2）はガス側閉鎖弁（26）に接続されている。
【００７１】
四路切換弁（33）は、第１ポート（P1）と第２ポート（P2）が互いに連通して第３ポート（P3）と第４ポート（P4）が互いに連通する第１状態（図１に実線で示す状態）と、第１ポート（P1）と第４ポート（P4）が互いに連通して第２ポート（P2）と第３ポート（P3）が互いに連通する第２状態（図１に破線で示す状態）とが切り換え可能となっている。
【００７２】
室外回路（21）では、圧縮機（30）の吸入側に、一対の吸入温度センサ（45a）及び吸入圧力センサ（46a）が設けられている。圧縮機（30）の吐出側に、一対の吐出温度センサ（45b）及び吐出圧力センサ（46b）が設けられている。また、室外熱交換器（34）のガス側には、室外ガス温度センサ（45c）が設けられている。室外熱交換器（34）の液側には、室外液温度センサ（45d）が設けられている。室外ファン（12）の上流には、外気温度センサ（18）が設けられている。
【００７３】
《室内ユニット》
室内ユニット（13）の室内回路（22）には、利用側熱交換器を構成する室内熱交換器（37）が回路構成機器として設けられている。室内熱交換器（37）は、クロスフィン式のフィン・アンド・チューブ型熱交換器により構成されている。室内熱交換器（37）には、室内熱交換器（37）の近傍に設けられた室内ファン（14）によって室内空気が供給される。室内熱交換器（37）では、室内空気と冷媒との間で熱交換が行われる。なお、室内ファン（14）は、風量を複数段階に調節できる。また、室内ユニット（13）では、室内に開口する吸込口と室内ファン（14）との間にエアフィルタが設けられている（図示省略）。
【００７４】
室内回路（22）では、室内熱交換器（37）の液側に、室内液温度センサ（45e）が設けられている。室内熱交換器（37）のガス側に、室内ガス温度センサ（45f）が設けられている。室内ファン（14）の上流には、室内温度センサ（19）が設けられている。
【００７５】
なお、上述した室外ユニット（11）の各種センサ（18,45,46）と、室内ユニット（13）の各種センサ（19,45,46）は、後述する漏洩診断装置（50）の指標値算出手段（31）の一部として考えてもよいし、冷凍装置（10）の一部として考えてもよい。
【００７６】
《漏洩診断装置の構成》
本実施形態の冷凍装置（10）は、本発明に係る漏洩診断装置（50）を備えている。漏洩診断装置（50）は、冷媒回路（20）において冷媒漏れが生じているか否かを検出するための漏洩検出動作を行うように構成されている。漏洩検出動作は、冷媒回路（20）において冷媒漏れが生じていない基準状態から冷媒が減っていることを検出するための動作である。
【００７７】
漏洩診断装置（50）は、冷媒状態検出部（51）とエクセルギー算出部（52）と漏洩判定部（53）とを備えている。本実施形態では、冷媒状態検出部（51）及びエクセルギー算出部（52）が指標値算出手段（31）を構成し、漏洩判定部（53）が漏洩判定手段（53）を構成している。
【００７８】
冷媒状態検出部（51）は、圧縮機（30）の入口（蒸発器（34,37）の出口）における冷媒の温度及びエントロピー（図２における点Ａの座標値）と、圧縮機（30）の出口（凝縮器（34,37）の入口）における冷媒の温度及びエントロピー（図２における点Ｂの座標値）と、膨張弁（36）の入口（凝縮器（34,37）の出口）における冷媒の温度及びエントロピー（図２における点Ｅの座標値）と、膨張弁（36）の出口（蒸発器（34,37）の入口）における冷媒の温度及びエントロピー（図２における点Ｇの座標値）とを検出するように構成されている。冷媒の温度は、温度センサ（45）の測定値から直接検出され、冷媒のエントロピーは、温度センサ（45）の測定値及び圧力センサ（46）の測定値から算出される。
【００７９】
エクセルギー算出部（52）は、冷媒状態検出部（51）で得られた冷媒の温度及びエントロピーを用いて、圧縮機（30）、凝縮器（34,37）、及び蒸発器（34,37）の各回路構成機器における冷媒のエクセルギーの損失量を検出し、該エクセルギーの損失量を用いて、冷媒回路（20）から漏れた冷媒量に応じて変化する漏洩指標値を算出する。エクセルギー算出部（52）は、漏洩指標値として、凝縮器（34,37）における冷媒のエクセルギーの損失量を用いた放熱器側指標値と、蒸発器（34,37）における冷媒のエクセルギーの損失量を用いた蒸発器側指標値と、圧縮機（30）における冷媒のエクセルギーの損失量を用いた圧縮機側指標値とを算出する。
【００８０】
なお、エクセルギー算出部（52）では、各回路構成機器における冷媒のエクセルギーの損失量の検出に、エクセルギー分析（熱力学的分析）が利用されている。回路構成機器における冷媒のエクセルギーの損失量は、該回路構成機器で生じる損失の大きさ（回路構成機器における損失値）を表している。
【００８１】
具体的に、エクセルギー算出部（52）は、冷媒状態検出部（51）で得られた冷媒の温度及びエントロピーを用いて、凝縮器（34,37）における冷媒のエクセルギーの損失量ΔE(c)と、蒸発器（34,37）における冷媒のエクセルギーの損失量ΔE(e)と、圧縮機（30）における冷媒のエクセルギーの損失量ΔE(b)とを検出する。また、エクセルギー算出部（52）は、冷媒状態検出部（51）で得られた冷媒の温度及びエントロピーを用いて、圧縮機（30）の入力（入力電力）ΔE(a)と、凝縮器（34,37）における冷媒の放熱量ΔE(a+g)とを検出する。圧縮機（30）では、圧縮機（30）の入力ΔE(a)により冷媒のエクセルギーが増加する反面、機械損失や放熱ロスにより冷媒のエクセルギーが失われる。
【００８２】
そして、エクセルギー算出部（52）は、第１放熱器側指標値として、「圧縮機（30）の入力ΔE(a)」に対する「凝縮器（34,37）における冷媒のエクセルギーの損失量ΔE(c)」の比率Ｒ1（Ｒ1＝ΔE(c)／ΔE(a)）を算出し、その比率Ｒ1を出力する。エクセルギー算出部（52）は、第２放熱器側指標値として、「凝縮器（34,37）における冷媒の放熱量ΔE(a+g)」に対する「凝縮器（34,37）における冷媒のエクセルギーの損失量ΔE(c)」の比率Ｒ2（Ｒ2＝ΔE(c)／ΔE(a+g)）を算出し、その比率Ｒ2を出力する。
【００８３】
さらに、エクセルギー算出部（52）は、蒸発器（34,37）における冷媒のエクセルギーの損失量ΔE(e)を、そのまま蒸発器側指標値として出力する。エクセルギー算出部（52）は、圧縮機（30）における冷媒のエクセルギーの損失量ΔE(b)を、そのまま圧縮機側指標値として出力する。なお、蒸発器（34,37）において冷媒がガス単相状態になっている過程でのエクセルギーの損失量ΔE(e)を蒸発器側指標値とすることも可能である。
【００８４】
漏洩判定部（53）は、エクセルギー算出部（52）が算出した漏洩指標値に基づいて、冷媒回路（20）において冷媒漏れが生じているか否かを判定する。具体的に、漏洩判定部（53）は、エクセルギー算出部（52）が出力した漏洩指標値と、冷媒回路（20）において冷媒漏れが生じていない基準状態の値（基準値）とを用いて、冷媒回路（20）において冷媒漏れが生じているか否かを判定する。漏洩判定部（53）は、放熱器側指標値に基づいて、冷媒漏れが発生しているか否かを判定し、蒸発器側指標値に基づいて、冷媒漏れが所定のレベル（冷媒不足により回路構成機器が損傷する可能性があるレベル）にまで進行しているか否かを判定する。
【００８５】
漏洩判定部（53）は、各漏洩指標値の基準値を記憶するメモリを備えている。メモリには、「圧縮機（30）の入力」に対する「凝縮器（34,37）における冷媒のエクセルギーの損失量」の比率の基準状態の値が第１基準値Ｒ1(0)として記憶され、「凝縮器（34,37）における冷媒の放熱量」に対する「凝縮器（34,37）における冷媒のエクセルギーの損失量」の比率の基準状態の値が第２基準値Ｒ2(0)として記憶され、蒸発器（34,37）における冷媒のエクセルギーの損失量の基準状態の値が第３基準値として記憶され、圧縮機（30）における冷媒のエクセルギーの損失量の基準状態の値が第４基準値として記憶されている。これらの基準値は、冷房運転時の基準状態の値として、予め求められた値である。
【００８６】
漏洩判定部（53）は、凝縮器（34,37）における冷媒のエクセルギーの損失量ΔE(c)が基準状態に比べて小さくなる変化に基づいて、冷媒漏れが発生しているか否かを判定する。具体的に、漏洩判定部（53）は、第１放熱器側指標値の基準状態からの変化率と、第２放熱器側指標値の基準状態からの変化率とに基づいて、冷媒漏れが発生しているか否かを判定する。なお、この判定に、第１放熱器側指標値の基準状態からの変化率と、第２放熱器側指標値の基準状態からの変化率との片方だけを用いてもよい。
【００８７】
また、漏洩判定部（53）は、蒸発器（34,37）における冷媒のエクセルギーの損失量ΔE(e)が基準状態に比べて大きくなる変化と、圧縮機（30）における冷媒のエクセルギーの損失量ΔE(b)が基準状態に比べて大きくなる変化との両方に基づいて、冷媒漏れが所定のレベルにまで進行しているか否かを判定する。具体的に、漏洩判定部（53）は、蒸発器側指標値の基準状態からの変化率と、圧縮機側指標値の基準状態からの変化率とに基づいて、冷媒漏れが所定のレベルにまで進行しているか否かを判定する。
【００８８】
−冷凍装置の運転動作−
冷凍装置（10）の運転動作について説明する。この冷凍装置（10）は、四路切換弁（33）によって冷房運転と暖房運転の切り換えを行うことができるように構成されている。
【００８９】
<冷房運転>
冷房運転では、四路切換弁（33）が第２状態に設定される。そして、この状態で圧縮機（30）の運転が行われると、冷媒回路（20）では、室外熱交換器（34）が凝縮器となって室内熱交換器（37）が蒸発器となる蒸気圧縮冷凍サイクルが行われる。
【００９０】
なお、冷房運転では、冷凍サイクルの低圧の値（吸入圧力センサ（46a）の検出値）が一定値になるように圧縮機（30）の運転周波数が制御され、室内熱交換器（37）の出口の冷媒の過熱度（スーパーヒート）が所定の目標値（例えば５℃）になるように、膨張弁（36）の開度が調節される。
【００９１】
具体的に、圧縮機（30）で圧縮された冷媒は、室外熱交換器（34）で室外空気と熱交換して凝縮する。室外熱交換器（34）で凝縮した冷媒は、膨張弁（36）を通過する際に減圧され、その後に室内熱交換器（37）で室内空気と熱交換して蒸発する。室内熱交換器（37）で蒸発した冷媒は、圧縮機（30）で再び圧縮される。
【００９２】
<暖房運転>
暖房運転では、四路切換弁（33）が第１状態に設定される。そして、この状態で圧縮機（30）の運転が行われると、冷媒回路（20）では、室外熱交換器（34）が蒸発器となって室内熱交換器（37）が凝縮器となる蒸気圧縮冷凍サイクルが行われる。
【００９３】
なお、暖房運転では、冷凍サイクルの高圧の値（吐出圧力センサ（46b）の検出値）が一定値になるように圧縮機（30）の運転周波数が制御され、室内熱交換器（37）の出口の冷媒の過冷却度（サブクール）が所定の目標値（例えば５℃）になるように、膨張弁（36）の開度が調節される。
【００９４】
具体的に、圧縮機（30）で圧縮された冷媒は、室内熱交換器（37）で室内空気と熱交換して凝縮する。室内熱交換器（37）で凝縮した冷媒は、膨張弁（36）を通過する際に減圧され、その後に室外熱交換器（34）で室外空気と熱交換して蒸発する。室外熱交換器（34）で蒸発した冷媒は、圧縮機（30）で再び圧縮される。
【００９５】
−漏洩診断装置の動作−
漏洩診断装置（50）の動作について説明する。漏洩診断装置（50）は、冷房運転中や暖房運転中に漏洩検出動作を行う。漏洩診断装置（50）は、例えば所定の制御周期で漏洩検出動作を行う。以下では、冷房運転中の漏洩検出動作について説明する。
【００９６】
漏洩検出動作では、まず、冷媒回路（20）の所定の位置における冷媒の温度及びエントロピーを検出する第１ステップが行われる。冷媒回路（20）の所定の位置とは、圧縮機（30）の入口及び出口と、膨張弁（36）の入口及び出口である。
【００９７】
第１ステップでは、冷媒状態検出部（51）が、吸入温度センサ（45a）の測定値を圧縮機（30）の入口における冷媒の温度として検出する。また、冷媒状態検出部（51）は、吸入温度センサ（45a）の測定値及び吸入圧力センサ（46a）の測定値を用いて、圧縮機（30）の入口における冷媒のエントロピーを算出する。これにより、図２に示すＴ−ｓ線図の点Ａの座標値が得られる。
【００９８】
また、冷媒状態検出部（51）は、吐出温度センサ（45b）の測定値を圧縮機（30）の出口における冷媒の温度として検出する。また、冷媒状態検出部（51）は、吐出温度センサ（45b）の測定値及び吐出圧力センサ（46b）の測定値を用いて、圧縮機（30）の出口における冷媒のエントロピーを算出する。これにより、図２に示すＴ−ｓ線図の点Ｂの座標値が得られる。
【００９９】
また、冷媒状態検出部（51）は、室外液温度センサ（45d）の測定値を膨張弁（36）の入口における冷媒の温度として検出する。また、冷媒状態検出部（51）は、室外液温度センサ（45d）の測定値及び吐出圧力センサ（46b）の測定値を用いて、膨張弁（36）の入口における冷媒のエントロピーを算出する。膨張弁（36）の入口の冷媒のエントロピーの算出では、膨張弁（36）の入口の圧力が圧縮機（30）の出口の圧力に等しいものとみなして、吐出圧力センサ（46b）の測定値が用いられる。これにより、図２に示すＴ−ｓ線図の点Ｅの座標値が得られる。
【０１００】
また、冷媒状態検出部（51）は、室内液温度センサ（45e）の測定値を膨張弁（36）の出口における冷媒の温度として検出する。冷媒状態検出部（51）は、室内液温度センサ（45e）の測定値及び吸入圧力センサ（46a）の測定値を用いて、膨張弁（36）の出口における冷媒のエントロピーを算出する。膨張弁（36）の出口の冷媒のエントロピーの算出では、膨張弁（36）の出口の圧力が圧縮機（30）の入口の圧力に等しいものとみなして、吸入圧力センサ（46a）の測定値が用いられる。また、冷房運転中は膨張弁（36）の出口の冷媒が気液二相状態になるため、冷媒の温度及び圧力からエントロピーを算出できるように、膨張弁（36）の入口の冷媒のエンタルピーが膨張弁（36）の出口の冷媒のエンタルピーに等しいものと仮定している。これにより、図２に示すＴ−ｓ線図の点Ｇの座標値が得られる。
【０１０１】
次に、漏洩指標値を算出する第２ステップが行われる。第２ステップは、第１ステップと共に指標値算出ステップを構成している。
【０１０２】
第２ステップでは、エクセルギー算出部（52）が、凝縮器として動作する室外熱交換器（34）における冷媒のエクセルギーの損失量ΔE(c)と、蒸発器として動作する室内熱交換器（37）における冷媒のエクセルギーの損失量ΔE(e)と、圧縮機（30）における冷媒のエクセルギーの損失量ΔE(b)と、圧縮機（30）の入力ΔE(a)と、室外熱交換器（34）における冷媒の放熱量ΔE(a+g)とをそれぞれ算出する。
【０１０３】
ここで、図２に示すＴ−ｓ線図では、冷凍サイクルを表すラインを利用して領域分けされた各領域の面積を用いると、回路構成機器（圧縮機（30）、凝縮器（34,37）、膨張弁（36）、蒸発器（34,37））における冷媒のエクセルギーの損失量を求めることが可能である。
【０１０４】
図２において、Ｔｈは、凝縮器（34,37）に送り込まれる空気の温度（冷房運転では、外気温度センサ（18）の測定値）、Ｔｃは、蒸発器（34,37）に送り込まれる空気の温度（冷房運転では、室内温度センサ（19）の測定値）をそれぞれ表している。
【０１０５】
また、点Ａは、圧縮機（30）の入口（蒸発器（34,37）の出口）の冷媒の温度とエントロピーから定まる点である。点Ｂは、圧縮機（30）の出口（凝縮器（34,37）の入口）の冷媒の温度とエントロピーから定まる点である。点Ｅは、膨張弁（36）の入口（凝縮器（34,37）の出口）の冷媒の温度とエントロピーから定まる点である。点Ｇは、膨張弁（36）の出口（蒸発器（34,37）の入口）の冷媒の温度とエントロピーから定まる点である。
【０１０６】
また、点Ｃは、点Ｂを通る等圧線と飽和蒸気線とが交わる点である。点Ｄは、点Ｃを通る等温線と飽和液線とが交わる点である。点Ｆは、点Ｅを通る等エンタルピー線と飽和液線とが交わる点である。点Ｈは、点Ｇを通る等温線と飽和蒸気線とが交わる点である。また、点Ｉは、点Ａを通る等エントロピー線上で温度がＴｃになる点である。点Ｊは、点Ａを通る等エントロピー線上で温度がＴｈになる点である。点Ｋは、点Ｇを通る等エントロピー線上で温度がＴｈになる点である。点Ｌは、点Ｇを通る等エントロピー線上で温度がＴｃになる点である。点Ｍは、点Ｂを通る等エントロピー線上で温度がＴｈになる点である。
【０１０７】
なお、本実施形態では、点Ａ、点Ｂ、点Ｅおよび点Ｇの座標値と、外気温度センサ（18）の測定値と、室内温度センサ（19）の測定値とを用いて、点Ｃ、点Ｄ、点Ｆ、点Ｈ、点Ｉ、点Ｊ、点Ｋ、点Ｌおよび点Ｍの座標値が算出される。
【０１０８】
図２では、圧縮機（30）の入力ΔE(a)が、(a)の領域の面積で表される。圧縮機（30）における冷媒のエクセルギーの損失量ΔE(b)が、(b)の領域の面積で表される。凝縮器（34,37）における冷媒のエクセルギーの損失量ΔE(c)が、(c)の領域の面積で表される。膨張弁（36）における冷媒のエクセルギーの損失量ΔE(d)が、(d)の領域の面積で表される。蒸発器（34,37）における冷媒のエクセルギーの損失量ΔE(e)が、(e)の領域の面積で表される。なお、(a)の領域は、ハッチングされた全領域から(g)の領域を引いた領域である。
【０１０９】
また、図２では、逆カルノーサイクルの仕事量ΔE(f)が、(f)の領域の面積で表される。凝縮器（34,37）における冷媒の放熱量ΔE(a+g)が、点Ｂから点Ｃと点Ｄを経て点Ｅに至る線の下側の領域、つまり(a)の領域に(g)の領域を加えた領域の面積（図２においてハッチングされた全面積）で表される。蒸発器（34,37）における冷媒の吸熱量ΔE(g)が、点Ｇから点Ｈを経て点Ａに至る線の下側の領域、つまり(g)の領域の面積で表される。
【０１１０】
エクセルギー算出部（52）は、点Ｂ、点Ｃ、点Ｄ及び点Ｅの座標値と、外気温度センサ（18）の測定値Ｔｈとを用いて、室外熱交換器（34）における冷媒のエクセルギーの損失量ΔE(c)を算出する。エクセルギー算出部（52）は、点Ａ、点Ｇ及び点Ｈの座標値と、室内温度センサ（19）の測定値Ｔｃとを用いて、室内熱交換器（37）における冷媒のエクセルギーの損失量ΔE(e)を算出する。エクセルギー算出部（52）は、点Ａ及び点Ｂの座標値と、外気温度センサ（18）の測定値Ｔｈとを用いて、圧縮機（30）における冷媒のエクセルギーの損失量ΔE(b)を算出する。エクセルギー算出部（52）は、点Ａ、点Ｂ、点Ｃ、点Ｄ、点Ｅ、点Ｇ及び点Ｈの座標値を用いて、圧縮機（30）の入力ΔE(a)を算出する。エクセルギー算出部（52）は、点Ｂ、点Ｃ、点Ｄ及び点Ｅの座標値を用いて、室外熱交換器（34）における冷媒の放熱量ΔE(a+g)を算出する。
【０１１１】
なお、エクセルギー算出部（52）は、圧縮機（30）における冷媒のエクセルギーの損失量ΔE(b)として、点Ａと点Ｂを結ぶ線分の下側の領域の面積を算出するように構成されていてもよい。この場合、圧縮機（30）における冷媒のエクセルギーの損失量ΔE(b)は、圧縮機（30）の入口から出口までの冷媒の温度変化を、圧縮機（30）の入口の冷媒のエントロピーから圧縮機（30）の出口の冷媒のエントロピーまでの区間において積分した値になる。
【０１１２】
次に、エクセルギー算出部（52）は、「圧縮機（30）の入力ΔE(a)」に対する「室外熱交換器（34）における冷媒のエクセルギーの損失量ΔE(c)」の比率Ｒ1（Ｒ1＝ΔE(c)／ΔE(a)）を算出し、その比率Ｒ1を第１放熱器側指標値として出力する。エクセルギー算出部（52）は、「室外熱交換器（34）における冷媒の放熱量ΔE(a+g)」に対する「室外熱交換器（34）における冷媒のエクセルギーの損失量ΔE(c)」の比率Ｒ2（Ｒ2＝ΔE(c)／ΔE(a+g)）を算出し、その比率Ｒ2を第２放熱器側指標値として出力する。エクセルギー算出部（52）は、蒸発器（34,37）における冷媒のエクセルギーの損失量ΔE(e)を蒸発器側指標値として出力し、圧縮機（30）における冷媒のエクセルギーの損失量ΔE(b)を圧縮機側指標値として出力する。以上により第２ステップが終了する。
【０１１３】
続いて、冷媒回路（20）において冷媒漏れが生じているか否かを判定する第３ステップが行われる。第３ステップは漏洩判定ステップを構成している。
【０１１４】
第３ステップでは、まず、漏洩判定部（53）が、第１基準値Ｒ1(0)と第２基準値Ｒ2(0)をメモリから読み出す。そして、漏洩判定部（53）は、第１放熱器側指標値Ｒ1を第１基準値Ｒ1(0)で除することによって、第１放熱器側指標値の基準状態からの変化率（Ｒ1／Ｒ1(0)）を算出する。漏洩判定部（53）は、第１放熱器側指標値の基準状態からの変化率が所定の第１減少判定値以下になる第１判定条件が成立しているか否かを判定する。
【０１１５】
また、漏洩判定部（53）は、第２放熱器側指標値Ｒ2を第２基準値Ｒ2(0)で除することによって、第２放熱器側指標値の基準状態からの変化率（Ｒ2／Ｒ2(0)）を算出する。漏洩判定部（53）は、第２放熱器側指標値の基準状態からの変化率が所定の第２減少判定値以下になる第２判定条件が成立しているか否かを判定する。
【０１１６】
漏洩判定部（53）は、第１判定条件と第２判定条件の少なくとも一方が成立する場合に、冷媒回路（20）において冷媒漏れが生じていると判定する。一方、漏洩判定部（53）は、第１判定条件と第２判定条件が両方とも成立しない場合には、冷媒回路（20）において冷媒漏れが生じていないと判定する。
【０１１７】
ここで、図３に示すように、冷媒回路（20）から漏洩した冷媒の量が比較的少ない第１進行状態では、凝縮器（34）における冷媒の凝縮温度が、基準状態に比べて低くなる。凝縮器（34）における冷媒の凝縮温度と室外空気の温度差が小さくなるので、凝縮器（34）の出口における冷媒の温度が、基準状態に比べて高くなり、凝縮器（34）の出口における冷媒の過冷却度が、基準状態に比べて小さくなる。膨張弁（36）の入口および出口における冷媒のエントロピーが、それぞれ基準状態に比べて大きくなる。冷凍サイクルにおける高圧は基準状態に比べて低くなるが、冷凍サイクルにおける低圧は基準状態とそれほど変わらない。蒸発器（37）の出口における冷媒の過熱度は、基準状態とそれほど変わらない。その結果、回路構成機器における冷媒のエクセルギーの損失量のうち、凝縮器（34）における冷媒のエクセルギーの損失量ΔE(c)の基準状態からの変化が特に大きくなる。
【０１１８】
また、凝縮器（34）が劣化した場合にも、凝縮器（34）における冷媒のエクセルギーの損失量ΔE(c)は変化するが、この場合は、凝縮器（34）における冷媒のエクセルギーの損失量ΔE(c)が増加する。このため、本実施形態では、凝縮器（34）における冷媒のエクセルギーの損失量ΔE(c)が基準状態から小さくなる変化に基づいて、冷媒漏れが生じているか否かが判定される。
【０１１９】
第１進行状態において、凝縮器（34）における冷媒のエクセルギーの損失量ΔE(c)が基準状態に比べて小さくなるのは、凝縮器（34）の出口における冷媒の過冷却度が小さくなって、凝縮器（34）の有効流路長において、熱交換効率がよい気液二相領域の割合が増加して、全体として熱交換効率が増加するためである。なお、第１進行状態では、蒸発器（37）における冷媒のエクセルギーの損失量ΔE(e)が基準状態に比べて僅かに小さくなり、圧縮機（30）における冷媒のエクセルギーの損失量ΔE(b)と、膨張弁（36）における冷媒のエクセルギーの損失量ΔE(d)とは、共に基準状態からそれほど変化しない。
【０１２０】
なお、凝縮器（34,37）における冷媒のエクセルギーの損失量を、そのまま放熱器側指標値としてもよい。また、放熱器側指標値に基づいて冷媒漏れが生じているか否かを判定する方法としては、上述の方法に限られない。例えば、放熱器側指標値が所定の判定閾値を下回る条件が成立する場合に、冷媒漏れが生じていると判定してもよい。また、所定の期間（例えば１ヶ月間）における放熱器側指標値の平均値が所定の判定閾値を下回る条件が成立する場合に、冷媒漏れが生じていると判定してもよい。
【０１２１】
次に、漏洩判定部（53）は、第３基準値と第４基準値を、メモリから読み出す。そして、漏洩判定部（53）は、蒸発器側指標値ΔE(e)を第３基準値で除することによって、蒸発器側指標値の基準状態からの変化率を算出する。漏洩判定部（53）は、蒸発器側指標値の基準状態からの変化率が所定の第１増加判定値以上になる第３判定条件が成立するか否かを判定する。
【０１２２】
また、漏洩判定部（53）は、圧縮機側指標値ΔE(b)を第４基準値で除することによって、圧縮機側指標値の基準状態からの変化率を算出する。漏洩判定部（53）は、圧縮機側指標値の基準状態からの変化率が所定の第２増加判定値以上になる第４判定条件が成立するか否かを判定する。
【０１２３】
なお、上述した判定値（第１減少判定値、第２減少判定値、第１増加判定値および第２増加判定値）は、全てメモリに記憶されている。
【０１２４】
漏洩判定部（53）は、放熱器側指標値に基づいて冷媒漏れが生じていると判定している状態で、第３判定条件と第４判定条件の両方が成立する場合に、冷媒漏れが所定のレベル（冷媒不足により回路構成機器が損傷する可能性があるレベル）にまで進行していると判定する。本実施形態では、第３判定条件と第４判定条件の片方だけが成立しても、冷媒漏れが所定のレベルにまで進行していると判定されない。但し、第３判定条件と第４判定条件の少なくとも一方が成立する場合に冷媒漏れが所定のレベルにまで進行していると判定するように、漏洩判定部（53）を構成してもよい。
【０１２５】
ここで、図４に示すように、冷媒回路（20）から漏洩した冷媒の量が比較的多い第２進行状態では、凝縮器（34）における冷媒の凝縮温度が、第１進行状態に比べてさらに低くなる。凝縮器（34）の出口における冷媒の温度が、第１進行状態に比べてさらに高くなり、凝縮器（34）の出口における冷媒の過冷却度が、第１進行状態に比べてさらに小さくなる。膨張弁（36）の入口および出口における冷媒のエントロピーが、それぞれ第１進行状態に比べてさらに大きくなる。冷凍サイクルにおける高圧が、第１進行状態に比べてさらに低くなり、冷凍サイクルにおける低圧が第１進行状態に比べて低くなる。蒸発器（37）の出口における冷媒の過熱度が、第１進行状態に比べて大きくなる。凝縮器（34）における冷媒のエクセルギーの損失量ΔE(c)が、第１進行状態に比べて大きくなる。その結果、回路構成機器における冷媒のエクセルギーの損失量のうち、蒸発器（37）における冷媒のエクセルギーの損失量ΔE(e)の基準状態からの変化と、圧縮機（30）における冷媒のエクセルギーの損失量ΔE(b)の基準状態からの変化とが、特に大きくなる。
【０１２６】
また、蒸発器（37）が劣化した場合には、蒸発器（37）における冷媒のエクセルギーの損失量ΔE(e)はそれほど変化しない。特に、冷凍サイクルの低圧が一定値になるように冷媒回路（20）が制御されている場合は、蒸発器（37）における冷媒のエクセルギーの損失量ΔE(e)はほとんど変化しない。また、圧縮機（30）が劣化した場合も、蒸発器（37）から流出した冷媒の過熱度が一定値になるように冷媒回路（20）が制御されているので、圧縮機（30）における冷媒のエクセルギーの損失量ΔE(b)はそれほど変化しない。このため、本実施形態では、蒸発器（37）における冷媒のエクセルギーの損失量ΔE(e)が基準状態から大きくなる変化と、圧縮機（30）における冷媒のエクセルギーの損失量ΔE(b)が基準状態から大きくなる変化とに基づいて、冷媒漏れが所定のレベルにまで進行しているか否かが判定されている。
【０１２７】
なお、蒸発器側指標値及び圧縮機側指標値の各漏洩指標値に基づいて冷媒漏れが生じているか否かを判定する方法としては、上述の方法に限られない。例えば、漏洩指標値が所定の判定閾値を上回る条件が成立する場合に、冷媒漏れが所定のレベルにまで進行していると判定してもよい。また、所定の期間（例えば１ヶ月間）における漏洩指標値の平均値が所定の判定閾値を上回る条件が成立する場合に、冷媒漏れが所定のレベルにまで進行していると判定してもよい。
【０１２８】
−実施形態の効果−
本実施形態では、回路構成機器における冷媒のエクセルギーの損失量に基づいて、冷媒回路（20）において冷媒漏れが生じると所定の変化をする漏洩指標値が算出され、その漏洩指標値に基づいて冷媒漏れの診断が行われる。冷媒回路（20）における冷媒漏れは、例えば、漏洩指標値の変化を監視することにより検知することが可能である。従って、冷媒回路（20）の回路構成機器における冷媒のエクセルギーの損失量を用いた冷媒漏れの診断を実現することができる。
【０１２９】
また、本実施形態では、冷媒回路（20）において冷媒漏れが生じると、凝縮器（34,37）における冷媒のエクセルギーの損失量に所定の変化が現れるので、凝縮器（34,37）における冷媒のエクセルギーの損失量に基づいて算出した放熱器側指標値に基づいて、冷媒漏れの診断が行われる。従って、凝縮器（34,37）における冷媒のエクセルギーの損失量を用いた冷媒漏れの診断を実現することができる。また、冷凍サイクルの低圧が一定になるように冷媒回路（20）が制御される冷凍運転中は、冷媒回路（20）から漏洩した冷媒の量が比較的少ない状態でも、凝縮器（34,37）における冷媒のエクセルギーの損失量にある程度大きな変化が現れる。このため、冷媒回路（20）から漏れた冷媒量が少ない段階で、冷媒漏れを検知することができる。そして、冷媒回路（20）から漏れる冷媒量を低減させることができ、地球環境に影響を与える冷媒を用いる場合は、地球環境に与える影響を低減させることができる。
【０１３０】
また、本実施形態では、冷媒回路（20）において冷媒漏れが生じると、蒸発器（34,37）における冷媒のエクセルギーの損失量に所定の変化が現れるので、蒸発器（34,37）における冷媒のエクセルギーの損失量に基づいて算出した蒸発器側指標値に基づいて、冷媒漏れの診断が行われる。従って、蒸発器（34,37）における冷媒のエクセルギーの損失量を用いた冷媒漏れの診断を実現することができる。
【０１３１】
また、本実施形態では、冷媒回路（20）において冷媒漏れが生じると、圧縮機（30）における冷媒のエクセルギーの損失量に所定の変化が現れるので、圧縮機（30）における冷媒のエクセルギーの損失量に基づいて算出した圧縮機側指標値に基づいて、冷媒漏れの診断が行われる。従って、圧縮機（30）における冷媒のエクセルギーの損失量を用いた冷媒漏れの診断を実現することができる。
【０１３２】
また、本実施形態では、蒸発器（34,37）における冷媒のエクセルギーの損失量の基準状態からの変化と、圧縮機（30）における冷媒のエクセルギーの損失量の基準状態からの変化との両方に基づいて、冷媒漏れが所定のレベルにまで進行しているか否かが判定される。従って、冷媒漏れが所定のレベルにまで進行しているか否かをより正確に判定することができる。
【０１３３】
また、本実施形態では、放熱器側指標値に基づいて、冷媒回路（20）において冷媒漏れが生じているか否かが判定され、蒸発器側指標値及び圧縮機側指標値に基づいて、冷媒回路（20）における冷媒漏れが所定のレベルにまで進行しているか否かが判定される。従って、冷媒漏れが生じているか否かだけではなく、冷媒漏れが所定のレベルにまで進行しているか否も検知することができる。
【０１３４】
また、本実施形態では、冷媒回路（20）において冷媒漏れが生じると、「圧縮機（30）の入力」に対する「凝縮器（34,37）における冷媒のエクセルギーの損失量」の比率に所定の変化が現れるので、この比率を放熱器側指標値として、該放熱器側指標値に基づいて冷媒漏れの診断が行われる。また、冷媒回路（20）において冷媒漏れが生じると、「凝縮器（34,37）における冷媒の放熱量」に対する「凝縮器（34,37）における冷媒のエクセルギーの損失量」の比率に所定の変化が現れるので、この比率を放熱器側指標値として、該放熱器側指標値に基づいて冷媒漏れの診断が行われる。これらの放熱器側指標値は、エクセルギーの損失量同士の比率であるため、無次元化された値となる。このため、冷媒回路（20）の定格能力を考慮することなく、冷媒漏れの診断を行うことができる。
【０１３５】
また、本実施形態では、「圧縮機（30）の入力」が、冷媒回路（20）の動作状態（例えば、冷媒の循環量、室外空気の温度）を反映した値である。また、「凝縮器（34,37）における冷媒の放熱量」が、冷媒回路（20）の動作状態を反映した値である。冷媒回路（20）の動作状態を反映した放熱器側指標値が冷媒漏れの診断に用いられる。従って、冷媒回路（20）の動作状態をそれほど考慮することなく、冷媒漏れの診断を行うことができる。
【０１３６】
また、本実施形態では、冷媒回路（20）において冷媒漏れが生じているか否かを判定するのに、回路構成機器における冷媒のエクセルギーの損失量を利用する漏洩診断装置（50）を設けている。従って、冷媒回路（20）の回路構成機器における冷媒のエクセルギーの損失量を用いた冷媒漏れの診断を行うことができる冷凍装置（10）を提供することができる。
【０１３７】
−実施形態の変形例１−
実施形態の変形例１について説明する。この変形例１の漏洩診断装置（50）は、漏洩検出動作が上記実施形態とは異なっている。なお、この変形例１では、互いに並列に接続された複数台の室内ユニット（13）を備えた空気調和装置（10）を例に説明する。但し、この変形例１の空気調和装置（10）の概略構成図を示す図５では、室内ユニット（13）を１台のみ記載し、他の室内ユニット（13）の記載は省略している。複数台の室内ユニット（13）を備えた空気調和装置（10）では、図５に示すように、室外回路（21）に室外膨張弁（36a）が設けられ、各室内回路（22）に室内膨張弁（36b）が設けられる。なお、この変形例１の漏洩検出動作は、図１に示すような室内ユニット（13）が１台の空気調和装置（10）にも適用可能である。
【０１３８】
室内膨張弁（36b）及び室外膨張弁（36a）は、開度可変の電動膨張弁により構成されている。室内膨張弁（36b）には、制御パルスの最大値が２０００パルスの電動膨張弁が用いられている。一方、室外膨張弁（36a）には、制御パルスの最大値が４８０パルスの電動膨張弁が用いられている。
【０１３９】
冷房運転中は、室外膨張弁（36a）が全開に設定され、室内膨張弁（36b）の開度が、室内熱交換器（37）から流出した冷媒の過熱度が一定値（例えば５℃）になるように調節される。一方、暖房運転中は、室外膨張弁（36a）の開度が、室外熱交換器（34）から流出した冷媒の過熱度が一定値（例えば５℃）になるように調節され、室内膨張弁（36b）の開度が、室内熱交換器（37）から流出した冷媒の過冷却度が一定値（例えば５℃）になるように調節される。
【０１４０】
まず、冷房運転中の漏洩検出動作について説明する。冷房運転中の漏洩検出動作では、まず、上記実施形態と同じ第１ステップが行われる。続いて、第２ステップでは、エクセルギー算出部（52）が、室外熱交換器（34）において冷媒が気液二相状態になっている過程でのエクセルギーの損失量ΔE(c2)を算出する。図６及び図７では、室外熱交換器（34）において冷媒が気液二相状態になっている過程でのエクセルギーの損失量ΔE(c2)が、(c2)の領域の面積で表される。エクセルギー算出部（52）は、Ｃ点及びＤ点の座標値と、外気温度センサ（18）の測定値Ｔｈとを用いて、(c2)の領域の面積を算出することによって、室外熱交換器（34）において冷媒が気液二相状態になっている過程でのエクセルギーの損失量ΔE(c2)を算出する。
【０１４１】
また、エクセルギー算出部（52）は、室外熱交換器（34）において冷媒が液単相状態になっている過程でのエクセルギーの損失量ΔE(c3)を算出する。図６及び図７では、室外熱交換器（34）において冷媒が液単相状態になっている過程でのエクセルギーの損失量ΔE(c3)が、(c3)の領域の面積で表される。エクセルギー算出部（52）は、Ｄ点及びＥ点の座標値と、外気温度センサ（18）の測定値Ｔｈとを用いて、(c3)の領域の面積を算出することによって、室外熱交換器（34）において冷媒が液単相状態になっている過程でのエクセルギーの損失量ΔE(c3)を算出する。
【０１４２】
また、エクセルギー算出部（52）は、室内熱交換器（37）において冷媒が気液二相状態になっている過程でのエクセルギーの損失量ΔE(e1)を算出する。図６及び図７では、室内熱交換器（37）において冷媒が気液二相状態になっている過程でのエクセルギーの損失量ΔE(e1)が、(e1)の領域の面積で表される。エクセルギー算出部（52）は、Ｇ点及びＨ点の座標値と、室内温度センサ（19）の測定値Ｔｃとを用いて、(e1)の領域の面積を算出することによって、室内熱交換器（37）において冷媒が気液二相状態になっている過程でのエクセルギーの損失量ΔE(e1)を算出する。
【０１４３】
また、エクセルギー算出部（52）は、室内熱交換器（37）において冷媒がガス単相状態になっている過程でのエクセルギーの損失量ΔE(e2)を算出する。図６及び図７では、室内熱交換器（37）において冷媒がガス単相状態になっている過程でのエクセルギーの損失量ΔE(e2)が、(e2)の領域の面積で表される。エクセルギー算出部（52）は、Ｈ点及びＡ点の座標値と、室内温度センサ（19）の測定値Ｔｃとを用いて、(e2)の領域の面積を算出することによって、室内熱交換器（37）において冷媒がガス単相状態になっている過程でのエクセルギーの損失量ΔE(e2)を算出する。
【０１４４】
なお、室外熱交換器（34）において冷媒が気液二相状態になっている過程でのエクセルギーの損失量ΔE(c2)は、該気液二相状態の冷媒が流れる際に生じる損失の大きさを表している。室外熱交換器（34）において冷媒が液単相状態になっている過程でのエクセルギーの損失量ΔE(c3)は、該液単相状態の冷媒が流れる際に生じる損失の大きさを表している。室内熱交換器（37）において冷媒が気液二相状態になっている過程でのエクセルギーの損失量ΔE(e1)は、該気液二相状態の冷媒が流れる際に生じる損失の大きさを表している。室内熱交換器（37）において冷媒がガス単相状態になっている過程でのエクセルギーの損失量ΔE(e1)は、該ガス単相状態の冷媒が流れる際に生じる損失の大きさを表している。
【０１４５】
次に、エクセルギー算出部（52）は、放熱器側指標値として、「室外熱交換器（34）において冷媒が気液二相状態になっている過程でのエクセルギーの損失量ΔE(c2)」に対する「室外熱交換器（34）において冷媒が液単相状態になっている過程でのエクセルギーの損失量ΔE(c3)」の比率Ｒ1（Ｒ1＝ΔE(c3)／ΔE(c2)）を算出し、その比率Ｒ1を出力する。エクセルギー算出部（52）は、蒸発器側指標値として、「室内熱交換器（37）において冷媒が気液二相状態になっている過程でのエクセルギーの損失量ΔE(e1)」に対する「室内熱交換器（37）において冷媒がガス単相状態になっている過程でのエクセルギーの損失量ΔE(e2)」の比率Ｒ2（Ｒ2＝ΔE(e2)／ΔE(e1)）を算出し、その比率Ｒ2を出力する。以上により第２ステップが終了する。
【０１４６】
続いて、冷媒回路（20）において冷媒漏れが生じているか否かを判定する第３ステップが行われる。ここで、漏洩判定部（53）のメモリには、冷房運転中における「室外熱交換器（34）において冷媒が気液二相状態になっている過程でのエクセルギーの損失量」に対する「室外熱交換器（34）において冷媒が液単相状態になっている過程でのエクセルギーの損失量」の比率の基準状態の値が、第５基準値として記憶されている。また、このメモリには、冷房運転中における「室内熱交換器（37）において冷媒が気液二相状態になっている過程でのエクセルギーの損失量」に対する「室内熱交換器（37）において冷媒がガス単相状態になっている過程でのエクセルギーの損失量」の比率の基準状態の値が、第６基準値として記憶されている。
【０１４７】
第３ステップでは、まず、漏洩判定部（53）が、第５基準値と第６基準値をメモリから読み出す。そして、漏洩判定部（53）は、放熱器側指標値を第５基準値で除することによって、放熱器側指標値の基準状態からの変化率を算出する。漏洩判定部（53）は、放熱器側指標値の基準状態からの変化率が所定の第１判定値以下になる第５判定条件が成立しているか否かを判定する。漏洩判定部（53）は、第５判定条件が成立する場合に、冷媒回路（20）において冷媒漏れが生じていると判定する。一方、漏洩判定部（53）は、第５判定条件が成立しない場合には、冷媒回路（20）において冷媒漏れが生じていないと判定する。
【０１４８】
漏洩判定部（53）は、蒸発器側指標値を第６基準値で除することによって、蒸発器側指標値の基準状態からの変化率を算出する。漏洩判定部（53）は、蒸発器側指標値の基準状態からの変化率が所定の第２判定値以上になる第６判定条件が成立しているか否かを判定する。漏洩判定部（53）は、第６判定条件が成立する場合に、冷媒漏れが所定のレベル（冷媒不足により回路構成機器が損傷する可能性があるレベル）にまで進行していると判定する。
【０１４９】
なお、この変形例１では、冷房運転中に、冷凍サイクルの低圧の値（吸入圧力センサ（46a）の検出値）が一定値になるように圧縮機（30）の運転周波数を制御する低圧一定制御が行われるので、冷媒回路（20）から漏洩した冷媒の量が比較的少ない第１進行状態では、蒸発器（34,37）における冷媒のエクセルギーの損失量に、ほとんど変化が表れない。第１進行状態では、凝縮器（34,37）における冷媒のエクセルギーの損失量に比較的大きな変化が表れる。そして、冷媒漏れが進行すると、蒸発器（34,37）における冷媒のエクセルギーの損失量にも、比較的大きな変化が表れる。従って、放熱器側指標値に基づいて、冷媒回路（20）において冷媒漏れが生じているか否かが判定され、蒸発器側指標値に基づいて、冷媒回路（20）における冷媒漏れが所定のレベルにまで進行しているか否かが判定される。
【０１５０】
しかし、低圧一定制御ではなく、冷凍サイクルの高圧の値（吐出圧力センサ（46b）の検出値）が一定値になるように圧縮機（30）の運転周波数を制御する高圧一定制御が行われる場合は、第１進行状態では、凝縮器（34,37）における冷媒のエクセルギーの損失量に、ほとんど変化が表れず、蒸発器（34,37）における冷媒のエクセルギーの損失量に比較的大きな変化が表れる。そして、冷媒漏れが進行すると、凝縮器（34,37）における冷媒のエクセルギーの損失量にも、比較的大きな変化が表れる。この場合は、蒸発器側指標値に基づいて、冷媒回路（20）において冷媒漏れが生じているか否かを判定し、放熱器側指標値に基づいて、冷媒回路（20）における冷媒漏れが所定のレベルにまで進行しているか否かを判定することができる。
【０１５１】
続いて、暖房運転中の漏洩検出動作について説明する。暖房運転中の漏洩検出動作では、冷房運転中の漏洩検出動作と同様に、まず、上記実施形態と同じ第１ステップが行われる。続いて、第２ステップでは、エクセルギー算出部（52）が、室外熱交換器（34）において冷媒が気液二相状態になっている過程でのエクセルギーの損失量ΔE(e1)を算出する。また、エクセルギー算出部（52）は、室外熱交換器（34）において冷媒がガス単相状態になっている過程でのエクセルギーの損失量ΔE(e2)を算出する。
【０１５２】
そして、エクセルギー算出部（52）は、蒸発器側指標値として、「室外熱交換器（34）において冷媒が気液二相状態になっている過程でのエクセルギーの損失量ΔE(e1)」に対する「室外熱交換器（34）において冷媒がガス単相状態になっている過程でのエクセルギーの損失量ΔE(e2)」の比率Ｒ3（Ｒ3＝ΔE(e2)／ΔE(e1)）を算出し、その比率Ｒ3を出力する。以上により第２ステップが終了する。
【０１５３】
続いて、冷媒回路（20）において冷媒漏れが生じているか否かを判定する第３ステップが行われる。ここで、漏洩判定部（53）のメモリには、暖房運転中における「室外熱交換器（34）において冷媒が気液二相状態になっている過程でのエクセルギーの損失量」に対する「室外熱交換器（34）において冷媒がガス単相状態になっている過程でのエクセルギーの損失量」の比率の基準状態の値が、第７基準値として記憶されている。
【０１５４】
第３ステップでは、まず、漏洩判定部（53）が、第７基準値をメモリから読み出す。そして、漏洩判定部（53）が、第２ステップで算出した蒸発器側指標値を第７基準値で除することによって、蒸発器側指標値の基準状態からの変化率を算出する。漏洩判定部（53）は、蒸発器側指標値の基準状態からの変化率が所定の第３判定値以上になる第７判定条件が成立しているか否かを判定する。漏洩判定部（53）は、第７判定条件が成立する場合に、冷媒回路（20）において冷媒漏れが発生していると判定する。一方、漏洩判定部（53）は、第７判定条件が成立しない場合には、冷媒回路（20）において冷媒漏れが生じていないと判定する。
【０１５５】
この変形例１では、凝縮器（34,37）において冷媒がガス単相状態になっている過程でのエクセルギーの損失量を用いずに、放熱器側指標値が算出される。このため、放熱器側指標値の算出に、圧縮行程の終了後の冷媒の温度及びエントロピーが必要とならない。従って、比較的正確な値だけを用いて、放熱器側指標値を算出することができる。なお、この変形例１以外においても、凝縮器（34,37）において冷媒がガス単相状態になっている過程でのエクセルギーの損失量を用いずに、放熱器側指標値を算出してもよい。
【０１５６】
また、この変形例１では、冷媒回路（20）において冷媒漏れが生じると、「凝縮器（34,37）において冷媒が気液二相状態になっている過程でのエクセルギーの損失量」に対する「凝縮器（34,37）において冷媒が液単相状態になっている過程でのエクセルギーの損失量」の比率に所定の変化が現れるので、この比率を放熱器側指標値として、該放熱器側指標値に基づいて冷媒漏れの診断が行われる。また、冷媒回路（20）において冷媒漏れが生じると、「蒸発器（34,37）において冷媒が気液二相状態になっている過程でのエクセルギーの損失量」に対する「蒸発器（34,37）において冷媒がガス単相状態になっている過程でのエクセルギーの損失量」の比率に所定の変化が現れるので、この比率を蒸発器側指標値として、該蒸発器側指標値に基づいて冷媒漏れの診断が行われる。放熱器側指標値及び蒸発器側指標値は、エクセルギーの損失量同士の比率であるため、無次元化された値となる。このため、冷媒回路（20）の定格能力を考慮することなく、冷媒漏れの診断を行うことができる。この変形例１では、第５−７基準値を、定格能力が異なる冷凍装置（10）の間で共通化することができる。
【０１５７】
−実施形態の変形例２−
実施形態の変形例２について説明する。この変形例２の漏洩診断装置（50）は、冷媒漏れが生じているか否かを判定するのに、漏洩指標値に加えて、室内膨張弁（36b）の開度及び室外膨張弁（36a）の開度を利用している。以下では、上記実施形態の変形例１と異なる点について説明する。
【０１５８】
冷房運転中の漏洩検出動作では、第３ステップにおいて、漏洩判定部（53）が、室内膨張弁（36b）の開度が所定の第１判定開度（例えば、１５００パルス）以上になる第１開度条件が成立するか否かを判定する。漏洩判定部（53）は、上記第６判定条件が成立しない場合（蒸発器側指標値に基づけば冷媒漏れが生じていると判定できない場合）であっても、第１開度条件が成立する場合には、冷媒回路（20）において冷媒漏れが発生していると判定する。なお、第１判定開度は、冷媒漏れが生じていない状態において想定される室内膨張弁（36b）の開度（５００パルス前後の値）よりも大きな値であり、冷媒漏れが生じていない状態では、なり得ない値である。
【０１５９】
ここで、室内熱交換器（37）から流出した冷媒の過熱度が一定値になるように室内膨張弁（36b）の開度を調節する過熱度制御が行われる場合は、冷媒回路（20）から漏洩した冷媒の量が比較的少ない状態では、室内熱交換器（37）から流出した冷媒の過熱度がほとんど変化しない。このため、蒸発器側指標値がほとんど変化しない。他方、冷媒漏れにより室内熱交換器（37）を流れる冷媒が減少すると、室内熱交換器（37）から流出した冷媒の過熱度が増大しないように、室内膨張弁（36b）の開度が大きくなってゆく。つまり、冷媒漏れが生じると、蒸発器側指標値よりも先に膨張弁（36）の開度に変化が現れる。この変形例２では、そのような点に着目して、蒸発器側指標値に基づけば冷媒漏れが生じていると判定できない場合であっても、室内膨張弁（36b）の開度が第１判定開度以上になると、冷媒漏れが生じていると判定する。従って、冷媒回路（20）から漏れた冷媒量が少ない段階で、冷媒漏れを検知することができる。
【０１６０】
また、暖房運転中の漏洩検出動作では、第３ステップにおいて、漏洩判定部（53）が、室外膨張弁（36a）の開度が所定の第２判定開度（例えば４００パルス）以上になる第２開度条件が成立するか否かを判定する。漏洩判定部（53）は、上記第７判定条件が成立しない場合（蒸発器側指標値に基づけば冷媒漏れが生じていると判定できない場合）であっても、第２開度条件が成立する場合には、冷媒回路（20）において冷媒漏れが発生していると判定する。なお、第２判定開度は、冷媒漏れが生じていない状態において想定される室外膨張弁（36a）の開度（５０−１００パルス）よりも大きな値であり、冷媒漏れが生じていない状態では、なり得ない値である。
【０１６１】
この変形例２では、暖房運転中において、蒸発器側指標値に基づけば冷媒漏れが生じていると判定できない場合であっても、室外膨張弁（36a）の開度が第２判定開度以上になると、冷媒漏れが生じていると判定する。従って、冷媒回路（20）から漏れた冷媒量が少ない段階で、冷媒漏れを検知することができる。
【０１６２】
なお、暖房運転時に冷媒漏れが生じているか否かを判定するのに、室内膨張弁（36b）の開度を利用することも可能である。この場合、第２ステップにおいて、エクセルギー算出部（52）が、放熱器側指標値として、「室内熱交換器（37）において冷媒が気液二相状態になっている過程でのエクセルギーの損失量」に対する「室内熱交換器（37）において冷媒が液単相状態になっている過程でのエクセルギーの損失量」の比率を算出する。そして、第３ステップにおいて、漏洩判定部（53）が、放熱器側指標値の基準状態からの変化率が所定の第４判定値以下になる第８判定条件が成立するか否かを判定する。漏洩判定部（53）は、第８判定条件が成立する場合に、冷媒回路（20）において冷媒漏れが発生していると判定する。
【０１６３】
そして、第３ステップでは、漏洩判定部（53）が、室内膨張弁（36b）の開度が所定の第３判定開度（例えば１００パルス）以下になる第３開度条件が成立するか否かを判定する。漏洩判定部（53）は、上記第８判定条件が成立しない場合（放熱器側指標値に基づけば冷媒漏れが生じていると判定できない場合）であっても、第３開度条件が成立する場合には、冷媒回路（20）において冷媒漏れが発生していると判定する。なお、第３判定開度は、冷媒漏れが生じていない状態において想定される室内膨張弁（36b）の開度（５００パルス前後の値）よりも小さな値であり、冷媒漏れが生じていない状態では、なり得ない値である。
【０１６４】
室内熱交換器（37）から流出した冷媒の過冷却度が一定値になるように室内膨張弁（36b）の開度を調節する過冷却度制御が行われる場合は、冷媒回路（20）から漏洩した冷媒の量が比較的少ない状態では、室内熱交換器（37）から流出した冷媒の過冷却度がほとんど変化しない。このため、放熱器側指標値がほとんど変化しない。他方、冷媒漏れにより室内熱交換器（37）を流れる冷媒が減少すると、室内熱交換器（37）から流出した冷媒の過冷却度が低下しないように、室内膨張弁（36b）の開度が小さくなってゆく。この変形例２では、そのような点に着目して、放熱器側指標値に基づけば冷媒漏れが生じていると判定できない場合であっても、室内膨張弁（36b）の開度が第３判定開度以下になると、冷媒漏れが生じていると判定する。従って、冷媒回路（20）から漏れた冷媒量が少ない段階で、冷媒漏れを検知することができる。
【０１６５】
−実施形態の変形例３−
実施形態の変形例３について説明する。この変形例２の漏洩診断装置（50）は、冷媒回路（20）における冷媒漏れが所定のレベルにまで進行しているか否かを判定する方法が、上記実施形態とは異なっている。
【０１６６】
第２ステップでは、冷房運転中にエクセルギー算出部（52）が、漏洩指標値として、「室内熱交換器（37）における冷媒のエクセルギーの損失量ΔE(e)」に対する「室外熱交換器（34）における冷媒のエクセルギーの損失量ΔE(c)」の比率Ｒ（Ｒ＝ΔE(c)／ΔE(e)）を算出し、その比率Ｒを出力する。
【０１６７】
ここで、漏洩判定部（53）には、冷房運転中における「室内熱交換器（37）における冷媒のエクセルギーの損失量」に対する「室外熱交換器（34）における冷媒のエクセルギーの損失量」の比率の基準状態の値が、第８基準値として記憶されている。第３ステップでは、漏洩判定部（53）が、第８基準値をメモリから読み出す。そして、漏洩判定部（53）は、第２ステップで算出した漏洩指標値を第８基準値で除することによって、漏洩指標値の基準状態からの変化率を算出する。漏洩判定部（53）は、漏洩指標値の基準状態からの変化率が所定の第５判定値以下になる第８判定条件が成立しているか否かを判定する。漏洩判定部（53）は、第８判定条件が成立する場合に、冷媒回路（20）における冷媒漏れが所定のレベルにまで進行していると判定する。
【０１６８】
ここで、冷凍サイクルの低圧が一定値になるように冷媒回路（20）を制御する低圧一定制御が行われる場合は、冷媒漏れが生じると、冷凍サイクルの高圧の低下に伴って、室外熱交換器（34）における冷媒のエクセルギーの損失量が低下する一方で、室内熱交換器（37）における冷媒のエクセルギーの損失量がほとんど変化しない。このため、「蒸発器（34,37）における冷媒のエクセルギーの損失量」に対する「凝縮器（34,37）における冷媒のエクセルギーの損失量」の比率に所定の変化が現れる。また、冷凍サイクルの高圧が一定値になるように冷媒回路（20）を制御する高圧一定制御が行われる場合も同様に、「蒸発器（34,37）における冷媒のエクセルギーの損失量」に対する「凝縮器（34,37）における冷媒のエクセルギーの損失量」の比率に所定の変化が現れる。
【０１６９】
このため、この変形例３では、「蒸発器（34,37）における冷媒のエクセルギーの損失量」に対する「凝縮器（34,37）における冷媒のエクセルギーの損失量」の比率を漏洩指標値として、該漏洩指標値に基づいて冷媒漏れの診断が行われる。この漏洩指標値は、エクセルギーの損失量同士の比率であるため、無次元化された値となる。このため、冷媒回路（20）の定格能力を考慮することなく、冷媒漏れの診断を行うことができる。
【０１７０】
《その他の実施形態》
上記実施形態は、以下の変形例のように構成してもよい。
【０１７１】
−第１変形例−
上記実施形態について、漏洩指標値に基づけば冷媒回路（20）において冷媒漏れが生じていると判定できる場合であっても、アキュームレータ（38）に流入する冷媒の過熱度とアキュームレータ（38）から流出した冷媒の過熱度との差が所定の吸入側基準値以上になる場合は、冷媒回路（20）において冷媒漏れが生じていると判定しないように、漏洩判定部（53）を構成してもよい。
【０１７２】
ここで、例えば空調負荷が低くなると、アキュームレータ（38）に溜まる冷媒量が増加する。しかし、アキュームレータ（38）に溜まる冷媒量が増加した後に圧縮機（30）の運転容量が増加しても、アキュームレータ（38）内の冷媒量が減少するのに時間が掛かる。従って、アキュームレータ（38）内の冷媒量が減少するまでは、冷媒回路（20）では冷媒の循環量が不足するので、このような状態を冷媒漏れと誤判定するおそれがある。第１変形例では、そのような誤判定を防止するために、漏洩指標値に基づけば冷媒漏れが生じていると判定できる場合であっても、アキュームレータ（38）に流入する冷媒の過熱度とアキュームレータ（38）から流出した冷媒の過熱度との差が所定の吸入側基準値以上になる場合は、アキュームレータ（38）に比較的多くの冷媒が溜まっていると判断して、冷媒漏れと判定しない。従って、アキュームレータ（38）に比較的多くの冷媒が溜まる状態を、冷媒漏れと誤判定することを抑制することができる。
【０１７３】
なお、冷媒回路（20）には、図５のように、アキュームレータ（38）の入口に接続する冷媒配管に入口温度センサ（17）が設けられている。漏洩判定部（53）は、冷房運転中であれば、例えば、入口温度センサ（17）の測定値から吸入温度センサ（45a）の測定値を引いた値を、アキュームレータ（38）に流入する冷媒の過熱度とアキュームレータ（38）から圧縮機（30）へ向かう冷媒の過熱度との差として算出する。
【０１７４】
−第２変形例−
上記実施形態について、漏洩診断装置（50）が、図８に示すように、エクセルギー算出部（52）が出力した漏洩指標値を平均化処理するデータ処理部（55）を備えていてもよい。第２変形例では、漏洩診断装置（50）が、冷凍装置（10）とは離れた位置に設置されている。漏洩診断装置（50）は、例えばネットワーク回線（57）を通じて、冷凍装置（10）に設けられた制御基板に接続されている。漏洩診断装置（50）には、制御基板を介して、冷凍装置（10）に設けられた全ての温度センサ（16-19,45,63）と圧力センサ（46）の計測値が入力されるデータ管理部（54）が設けている。
【０１７５】
冷媒状態検出部（51）は、データ管理部（54）に入力された温度センサ（16-19,45,63）及び圧力センサ（46）の計測値を用いて、上記実施形態と同様に、圧縮機（30）の入口と圧縮機（30）の出口と膨張弁（36）の入口と膨張弁（36）の出口の各位置における冷媒の温度及びエントロピーを検出する。
【０１７６】
エクセルギー算出部（52）は、上記実施形態と同様に、漏洩指標値を算出する。エクセルギー算出部（52）は、例えば１日に１回、漏洩指標値を算出して、データ処理部（55）へ出力する。エクセルギー算出部（52）は、例えば「室外熱交換器（34）において冷媒が気液二相状態になっている過程でのエクセルギーの損失量ΔE(c2)」に対する「室外熱交換器（34）において冷媒が液単相状態になっている過程でのエクセルギーの損失量ΔE(c3)」の比率を漏洩指標値として算出する。
【０１７７】
データ処理部（55）には、漏洩指標値のデータが蓄積されてゆく。データ処理部（55）は、蓄積した漏洩指標値を、例えば１月単位で平均化処理し、図９に示す図表を作成する。漏洩診断装置（50）のモニタ（56）は、漏洩診断用の情報として、データ処理部（55）が作成した図表を表示する。１月単位で平均化処理された漏洩指標値（以下、「月平均指標値」という。）は、可視化される。
【０１７８】
これにより、例えば、図１０に示すように、ある年の月平均指標値が各月においてその一年前の月平均指標値を下回る場合は、モニタ（56）を見た冷凍装置（10）の管理者は、月平均指標値が全体的に低下していることを把握することができるので、冷媒漏れが生じていると判定することができる。
【０１７９】
なお、冷媒漏れの判定を人間が行うのではなく、漏洩判定部（53）が、ある年の月平均指標値の傾向と、その一年前の月平均指標値の傾向とを比較することによって、冷媒回路（20）において冷媒漏れが生じているか否かを判定してもよい。
【０１８０】
また、漏洩判定部（53）が、月平均指標値を所定の基準値と比較することによって、冷媒回路（20）において冷媒漏れが生じているか否かを判定してもよい。その場合、図１０に示すように、月平均指標値は月によって異なるので、月平均指標値が大きくなることが想定される月ほど、基準値を大きな値に設定してもよい。
【０１８１】
また、例えば、冷凍装置（10）の設置当初から月平均指標値が基準値を下回る場合もあり得る。そのような場合は、冷媒漏れではなく、冷凍装置（10）の設置時に冷媒回路（20）に十分な量の冷媒が充填されていないことによって、冷媒が不足していると推測することができる。
【０１８２】
−第３変形例−
上記実施形態について、冷凍装置（10）が、空気調和装置（10）だけでなく、食品を冷蔵又は冷凍するための庫内を冷却する冷凍装置（10）、室内の冷暖房と庫内の冷却とを行う冷凍装置（10）、熱交換器を流通する冷媒の熱を吸着剤の加熱又は冷却に用いる調湿機能付きの冷凍装置（10）、或いは、高圧冷媒により水を加熱する給湯機能を有する冷凍装置（10）であってもよい。
【０１８３】
−第４変形例−
上記実施形態について、冷凍装置（10）が、冷凍サイクルの高圧が冷媒の臨界圧力よりも高くなる超臨界サイクルを行うように構成されていてもよい。この場合、冷凍サイクルの高圧が冷媒の臨界圧力よりも低くなる通常の冷凍サイクルでは凝縮器となる熱交換器が、放熱器（ガスクーラ）として動作する。冷媒としては、例えば二酸化炭素が用いられる。
【０１８４】
なお、以上の実施形態は、本質的に好ましい例示であって、本発明、その適用物、あるいはその用途の範囲を制限することを意図するものではない。
【産業上の利用可能性】
【０１８５】
以上説明したように、本発明は、冷媒回路からの冷媒の漏洩の有無を診断するための漏洩診断装置、漏洩診断方法、及びその漏洩診断装置を備えた冷凍装置について有用である。
【符号の説明】
【０１８６】
10    空気調和装置（冷凍装置）
20    冷媒回路
30    圧縮機
34    室外熱交換器（放熱器、蒸発器）
36    膨張弁（減圧機構）
37    室内熱交換器（放熱器、蒸発器）
50    漏洩診断装置
51    冷媒状態検出部（指標値算出手段）
52    エクセルギー算出部（指標値算出手段）
53    漏洩判定部（漏洩判定手段）
【図１】
2010107187.tif 000003
【図２】
2010107187.tif 000004
【図３】
2010107187.tif 000005
【図４】
2010107187.tif 000006
【図５】
2010107187.tif 000007
【図６】
2010107187.tif 000008
【図７】
2010107187.tif 000009
【図８】
2010107187.tif 000010
【図９】
2010107187.tif 000011
【図１０】
2010107187.tif 000012